(57)【要約】  本開示は１つのキャリアに対して設定可能な複数のヌメロロジが存在する場合にランダムアクセス手順を設定するまたは事前に設定するための方法および装置を紹介する。いくつかの実施形態では、無線機器のランダムアクセスヌメロロジはシステム情報ブロックを使用して設定される。他の実施形態では、無線機器によって使用されるランダムアクセスヌメロロジは１つ以上の同期信号の検出に基づいて暗示的に判定される。
2019535185.tif 000002
【特許請求の範囲】
【請求項１】
混合ヌメロロジの無線通信ネットワーク（１０）における無線機器（３０，３００，１１００）によって実施されるランダムアクセス方法（１２０）であって、
ネットワークノード（２０，８００，１２００）からシステム情報であって、ランダムアクセスのための設定を指示する設定情報を格納する前記システム情報を受信すること（１２５）と、
前記設定情報に基づいてランダムアクセスのための第１のヌメロロジを判定すること（１３０）と、
前記ネットワークノード（２０，８００，１２００）との接続を確立するために、前記第１のヌメロロジに従って設定された第１のサブバンド上でランダムアクセスを実行すること（１３５）と、
共有アップリンクチャネル上でのデータ伝送のための第２のヌメロロジに従って設定された第２のサブバンドへと切り替えること（１４０）と、
を含むことを特徴とする方法。
【請求項２】
請求項１に記載の方法（１２０）であって、前記第１の設定情報はランダムアクセスのためのデフォルト設定を含むことを特徴とする方法。
【請求項３】
請求項１または２に記載の方法（１２０）であって、前記無線機器（３０，３００，１１００）のデバイスタイプ、トラフィックタイプ、および前記ネットワークから受信した設定のうちの少なくとも１つに基づいて前記第２のサブバンドを選択することをさらに含むことを特徴とする方法。
【請求項４】
請求項１または２に記載の方法（１２０）であって、事前に定義されたスライス選択規則に基づいて前記第２のサブバンドを選択することをさらに含むことを特徴とする方法。
【請求項５】
請求項１から４のいずれか１項に記載の方法（１２０）であって、第２のヌメロロジに従って設定された第２のサブバンドへと切り替えることは、
前記第１のサブバンドのためのタイミングアドバンス値を取得することと、
前記第１のサブバンドのための前記タイミングアドバンス値を、前記第２のサブバンド内の前記データ伝送のために使用することと、
を含むことを特徴とする方法。
【請求項６】
請求項５に記載の方法（１２０）であって、前記第１のサブバンド上の累積された電力調整値に基づいて、前記第２のサブバンド上のデータ伝送のための電力調整値を導出することをさらに含むことを特徴とする方法。
【請求項７】
請求項１から４のいずれか１項に記載の方法（１２０）であって、第２のヌメロロジに従って設定された第２のサブバンドへと切り替えることは、
前記第２のサブバンドのためのタイミングアドバンス値を取得することと、
前記第２のサブバンドのための前記タイミングアドバンス値を、前記第２のサブバンド内のデータ伝送のために使用することと、
を含むことを特徴とする方法。
【請求項８】
請求項７に記載の方法（１２０）であって、前記第２のサブバンドのためのタイミングアドバンス値を取得することは、
前記第２のサブバンド内でランダムアクセスプリアンブルを送信することと、
前記第２のサブバンドのための前記タイミングアドバンス値を含むランダムアクセス応答を受信することと、
を含むことを特徴とする方法。
【請求項９】
請求項７に記載の方法（１２０）であって、前記第２のサブバンドのためのタイミングアドバンス値を取得することは、
前記第２のサブバンド内で基準信号を送信することと、
前記第２のサブバンドのための前記タイミングアドバンス値を含む、応答メッセージを、前記基準信号の前記送信に応じて受信することと、
を含むことを特徴とする方法。
【請求項１０】
請求項１に記載の方法（１２０）であって、前記設定情報に基づいてランダムアクセスのための第１のヌメロロジを判定することは、
前記設定情報に基づいて、サービスタイプを対応するヌメロロジに関連付けるマッピングを生成することと、
前記ネットワークノード（２０，８００，１２００）との前記接続のためのサービスタイプを判定することと、
前記サービスタイプに基づいて前記第１のヌメロロジを判定することと、
を含むことを特徴とする方法。
【請求項１１】
請求項１０に記載の方法（１２０）であって、前記無線機器（３０，３００，１１００）のメモリに前記マッピングを格納することをさらに含むことを特徴とする方法。
【請求項１２】
請求項１に記載の方法（１２０）であって、前記設定情報に基づいてランダムアクセスのための第１のヌメロロジを判定することは、前記無線機器（３０，３００，１１００）によって、前記設定情報によって指示されるようにランダムアクセスのために利用可能な前記２つ以上のヌメロロジから前記第１のヌメロロジを選択することを含むことを特徴とする方法。
【請求項１３】
請求項１２に記載の方法（１２０）であって、前記設定情報によって指示されるようにランダムアクセスのために利用可能な前記２つ以上のヌメロロジから前記第１のヌメロロジを選択することは、
前記ネットワークノード（２０，８００，１２００）への距離を判定することと、
前記距離に基づいて前記利用可能なヌメロロジから前記第１のヌメロロジを選択することと、
を含むことを特徴とする方法。
【請求項１４】
請求項１２に記載の方法（１２０）であって、前記設定情報によって指示されるようにランダムアクセスのために利用可能な前記２つ以上のヌメロロジから前記第１のヌメロロジを選択することは、
前記ネットワークノード（２０，８００，１２００）との前記接続のためのサービスタイプを判定することと、
前記サービスタイプに基づいて前記利用可能なヌメロロジから前記第１のヌメロロジを選択することと、
を含むことを特徴とする方法。
【請求項１５】
請求項１２に記載の方法（１２０）であって、前記設定情報によって指示されるようにランダムアクセスのために利用可能な前記２つ以上のヌメロロジから前記第１のヌメロロジを選択することは、
前記無線機器（３０，３００，１１００）のデバイスタイプを判定することと、
前記デバイスタイプに基づいて前記利用可能なヌメロロジから前記第１のヌメロロジを選択することと、
を含むことを特徴とする方法。
【請求項１６】
混合ヌメロロジの無線通信ネットワーク（１０）における無線機器（３０，３００，１１００）によって実施されるランダムアクセスの方法（１５０）であって、
ネットワークノード（２０，８００，１２００）からシステム情報であって、ランダムアクセスのためのヌメロロジを指示する設定情報を格納する前記システム情報を受信すること（１５５）と、
前記ネットワークノード（２０，８００，１２００）との接続を確立するために、前記指示されたヌメロロジに従って設定されたサブバンド上でランダムアクセスを実行すること（１６０）と、
を含み、
前記指示されたヌメロロジは、前記ネットワークノード（２０，８００，１２００）が、共通の処理ハードウェアを使用してランダムアクセスプリアンブルおよび共有アップリンクチャネル上での後続のデータ伝送を処理することを可能にすることを特徴とする方法。
【請求項１７】
混合ヌメロロジの無線通信ネットワーク（１０）におけるネットワークノード（２０，８００，１２００）によって実施される方法（６３０）であって、
前記ネットワークノード（２０，８００，１２００）によってサービスを提供されるエリア内の無線機器（３０，３００，１１００）へ、システム情報であって、前記無線機器（３０，３００，１１００）がランダムアクセスのための第１のヌメロロジを判定することを可能にするランダムアクセスのための設定情報を格納する前記システム情報を送信すること（６４０）と、
前記第１のヌメロロジに従って設定された１つ以上のサブバンドでランダムアクセスチャネルをモニタすること（６５０）と、
前記第１のヌメロロジに従って設定された第１のサブバンド上で前記無線機器からランダムアクセスプリアンブルを受信すること（６６０）と、
前記第１のヌメロロジとは異なる第２のヌメロロジに従って設定された第２のサブバンド内の共有アップリンクチャネル上で前記無線機器（３０，３００，１１００）からアップリンク伝送を受信すること（６７０）と、
を含むことを特徴とする方法。
【請求項１８】
請求項１７に記載の方法であって、前記設定情報はランダムアクセスのために２つ以上の利用可能なヌメロロジを指示し、前記モニタすることは、前記２つ以上の利用可能なヌメロロジに従って設定されたサブバンド内のランダムアクセスチャネルをモニタすることを含むことを特徴とする方法。
【請求項１９】
混合ヌメロロジの無線通信ネットワーク（１０）におけるネットワークノード（２０，８００，１２００）によって実施される方法（７５０）であって、
前記ネットワークノード（２０，８００，１２００）によってサービスを提供されるエリア内の無線機器（３０，３００，１１００）へ、システム情報であって、ランダムアクセスのための設定情報ヌメロロジを格納する前記システム情報を送信すること（７６０）と、
指示された前記ヌメロロジに従って設定されたサブバンドでランダムアクセスチャネルをモニタすること（７７０）と、
共有アップリンクチャネル上で前記無線機器（３０，３００，１１００）からのデータ伝送を受信するよう適合された処理ハードウェアを使用して、指示された前記ヌメロロジ上で送信されたプリアンブルを受信すること（７８０）と、
を含むことを特徴とする方法。
【請求項２０】
混合ヌメロロジの無線通信ネットワーク（１０）での使用のために設定された無線機器（３０，３００，１１００）であって、
前記無線通信ネットワーク（１０）のネットワークノード（２０，８００，１２００）からシステム情報であって、ランダムアクセスのための設定を指示する設定情報を格納する前記システム情報を受信し、
前記設定情報に基づいてランダムアクセスのための第１のヌメロロジを判定し、
前記ネットワークノード（２０，８００，１２００）との接続を確立するために、前記第１のヌメロロジに従って設定された第１のサブバンド内でランダムアクセスを実行し、
共有アップリンクチャネル上でのデータ伝送のための第２のヌメロロジに従って設定された第２のサブバンドへと切り替える、
ように設定されることを特徴とする無線機器。
【請求項２１】
請求項２０に記載の無線機器（３０，３００，１１００）であって、請求項２から１５のいずれか１項に記載の方法を実行するよう設定されることを特徴とする無線機器。
【請求項２２】
混合ヌメロロジの無線通信ネットワーク（１０）での使用のために設定された無線機器（３０，３００）であって、
前記ネットワークノード（２０，８００）との通信のためのインタフェース回路（３４０）と、
処理回路（３１０）であって、
前記無線通信ネットワーク（１０）のネットワークノード（２０，８００，１２００）からシステム情報であって、ランダムアクセスのための設定を指示する設定情報を格納する前記システム情報を受信し、
前記設定情報に基づいてランダムアクセスのための第１のヌメロロジを判定し、
前記ネットワークノード（２０，８００，１２００）との接続を確立するために、前記第１のヌメロロジに従って設定された第１のサブバンド内でランダムアクセスを実行し、
共有アップリンクチャネル上でのデータ伝送のための第２のヌメロロジに従って設定された第２のサブバンドへと切り替える、
ように設定される前記処理回路と、
を備えることを特徴とする無線機器。
【請求項２３】
請求項２２に記載の無線機器（３０，３００）であって、前記第１の設定情報はランダムアクセスのためのデフォルト設定を含むことを特徴とする無線機器。
【請求項２４】
請求項２２または２３に記載の無線機器（３０，３００）であって、前記処理回路は、前記無線機器（３０，３００，１１００）のデバイスタイプ、トラフィックタイプ、および前記ネットワークから受信した設定のうちの少なくとも１つに基づいて前記第２のサブバンドを選択するようにされに設定されることを特徴とする無線機器。
【請求項２５】
請求項２２または２３に記載の無線機器（３０，３００）であって、前記処理回路は、事前に定義されたスライス選択規則に基づいて前記第２のサブバンドを選択するようさらに設定されることを特徴とする無線機器。
【請求項２６】
請求項２２から２５のいずれか１項に記載の無線機器（３０，３００）であって、前記処理回路はさらに、
前記第１のサブバンドのためのタイミングアドバンス値を取得し、
前記第１のサブバンドのための前記タイミングアドバンス値を、前記第２のサブバンド内の前記データ伝送のために使用する、
よう設定されることを特徴とする無線機器。
【請求項２７】
請求項２６に記載の無線機器（３０，３００）であって、前記処理回路はさらに、前記第１のサブバンド上の累積された電力調整値に基づいて、前記第２のサブバンド上のデータ伝送のための電力調整値を導出するよう設定されることを特徴とする無線機器。
【請求項２８】
請求項２２から２５のいずれか１項に記載の無線機器（３０，３００）であって、前記処理回路はさらに、
前記第２のサブバンドのためのタイミングアドバンス値を取得し、
前記第２のサブバンドのための前記タイミングアドバンス値を、前記第２のサブバンド内のデータ伝送のために使用する、
よう設定されることを特徴とする無線機器。
【請求項２９】
請求項２８に記載の無線機器（３０，３００）であって、前記処理回路はさらに、
前記第２のサブバンド内でランダムアクセスプリアンブルを送信し、
前記第２のサブバンドのための前記タイミングアドバンス値を含むランダムアクセス応答を受信する、
よう設定されることを特徴とする無線機器。
【請求項３０】
請求項２８に記載の無線機器（３０，３００）であって、前記処理回路はさらに、
前記第２のサブバンド内で基準信号を送信し、
前記第２のサブバンドのための前記タイミングアドバンス値を含む応答メッセージを、前記基準信号の前記送信に応じて受信する、
ように設定されることを特徴とする無線機器。
【請求項３１】
請求項２２に記載の無線機器（３０，３００）であって、前記処理回路はさらに、
前記設定情報に基づいて、サービスタイプを対応するヌメロロジに関連付けるマッピングを生成し、
前記ネットワークノード（２０，８００，１２００）との前記接続のためのサービスタイプを判定し、
前記サービスタイプに基づいて前記第１のヌメロロジを判定する、
よう設定されることを特徴とする無線機器。
【請求項３２】
請求項３１に記載の無線機器（３０，３００）であって、前記処理回路はさらに、前記無線機器（３０，３００，１１００）のメモリに前記マッピングを格納するよう設定されることを特徴とする無線機器。
【請求項３３】
請求項２２に記載の無線機器（３０，３００）であって、前記処理回路はさらに、前記設定情報によって指示されるようにランダムアクセスのために利用可能な前記２つ以上のヌメロロジから前記第１のヌメロロジを選択するよう設定されることを特徴とする無線機器。
【請求項３４】
請求項３３に記載の無線機器（３０，３００）であって、前記処理回路はさらに、
前記ネットワークノード（２０，８００，１２００）への距離を判定し、
前記距離に基づいて前記利用可能なヌメロロジから前記第１のヌメロロジを選択する、
ように設定されることを特徴とする無線機器。
【請求項３５】
請求項３３に記載の無線機器（３０，３００）であって、前記処理回路はさらに、
前記ネットワークノード（２０，８００，１２００）との前記接続のためのサービスタイプを判定し、
前記サービスタイプに基づいて前記利用可能なヌメロロジから前記第１のヌメロロジを選択する、
よう設定されることを特徴とする無線機器。
【請求項３６】
請求項３３に記載の無線機器（３０，３００）であって、前記処理回路はさらに、
前記無線機器（３０，３００）のデバイスタイプを判定し、
前記デバイスタイプに基づいて前記利用可能なヌメロロジから前記第１のヌメロロジを選択する、
よう設定されることを特徴とする無線機器。
【請求項３７】
混合ヌメロロジの無線通信ネットワーク（１０）での使用のために設定された無線機器（３０，３００）であって、
前記ネットワークノード（２０，８００，１２００）との通信のためのインタフェース回路（３４０）と、
処理回路（３１０）であって、
前記無線通信ネットワーク（１０）内のネットワークノード（２０，８００，１２００）から、システム情報であって、ランダムアクセスのためのヌメロロジを指示する前記システム情報を受信し、
前記ネットワークノード（２０，８００，１２００）との接続を確立するために、前記指示されたヌメロロジに従って設定された第１のサブバンド内でランダムアクセスを実行する、
処理回路を有し、
前記指示されたヌメロロジは、前記ネットワークノード（２０，８００，１２００）が共通処理ハードウェアを使用して、ランダムアクセスプリアンブルおよび共有アップリンクチャネル上での後続のデータ伝送を処理することを可能にすることを特徴とする無線機器。
【請求項３８】
混合ヌメロロジの無線通信ネットワーク（１０）内のネットワークノード（２０，８００，１２００）であって、無線機器（３０）は、
前記ネットワークノード（２０，８００，１２００）によってサービスを提供されるエリア内の無線機器（３０）へ、システム情報であって、前記無線機器（３０）がランダムアクセスのための第１のヌメロロジと共有アップリンクチャネル上のアップリンク伝送のための第２のヌメロロジとを判定することを可能にするランダムアクセスのための設定情報を格納する前記システム情報を送信し、
前記第１のヌメロロジに従って設定された１つ以上のサブバンドでランダムアクセスチャネルをモニタし、
前記第２のヌメロロジに従って設定された前記アップリンク共有チャネル上で前記無線機器（３０）からのアップリンク伝送を受信する、
よう設定されることを特徴とするネットワークノード。
【請求項３９】
請求項３８に記載のネットワークノード（２０，８００，１２００）であって、請求項１７または１８に記載の方法を実行するよう設定されることを特徴とするネットワークノード。
【請求項４０】
混合ヌメロロジの無線通信ネットワーク（１０）内のネットワークノード（２０，８００）であって、
前記ネットワークノード（２０，８００）によってサービスを提供されるエリア内の無線機器（３０）との通信のためのインタフェース回路（８３０）と、
処理回路（８１０）であって、
前記ネットワークノード（２０，８００）によってサービスを提供されるエリア内の無線機器（３０）へ、システム情報であって、前記無線機器（３０，３００，１１００）がランダムアクセスのための第１のヌメロロジを判定することを可能にするランダムアクセスのための設定情報を格納する前記システム情報を送信し、
前記第１のヌメロロジに従って設定された第１のサブバンドでランダムアクセスチャネルをモニタし、
前記第１のヌメロロジとは異なる第２のヌメロロジに従って設定された第２のサブバンド内の共有アップリンクチャネル上で前記無線機器（３０，３００，１１００）からアップリンク伝送を受信する、
よう設定される前記処理回路と、
を備えることを特徴とするネットワークノード。
【請求項４１】
請求項４０に記載のネットワークノード（２０，８００）であって、前記設定情報はランダムアクセスのために利用可能な２つ以上のヌメロロジを指示し、前記処理回路はさらに、前記利用可能な２つ以上のヌメロロジに従って設定されたサブバンド内のランダムアクセスチャネルをモニタするよう設定されることを特徴とするネットワークノード。
【請求項４２】
混合ヌメロロジの無線通信ネットワーク（１０）内のネットワークノード（２０，８００）であって、
前記ネットワークノード（２０，８００）によってサービスを提供されるエリア内の無線機器（３０，３００，１１００）との通信のためのインタフェース回路（８３０）と、
処理回路（８１０）であって、
前記ネットワークノード（２０，８００）によってサービスを提供されるエリア内の無線機器（３０，３００，１１００）へ、システム情報であって、ランダムアクセスのためのヌメロロジを指示する設定情報を格納する前記システム情報を送信し、
前記指示されたヌメロロジに従って設定されたサブバンドでランダムアクセスチャネルをモニタし、
共有アップリンクチャネル上で前記無線機器（３０，３００，１１００）からのデータ伝送を受信するよう適合された処理ハードウェアを使用して、前記無線機器（３０，３００，１１００）によって送信されたプリアンブルを受信する、
よう設定される前記処理回路と、
を備えることを特徴とするネットワークノード。
【請求項４３】
コンピュータプログラム（３６０）であって、無線機器（３０，３００，１１００）の処理回路によって実行された場合に、前記無線機器（３０，３００，１１００）に請求項１から１６のいずれか１項に記載の方法を実行させる実行可能な命令を含むコンピュータプログラム。
【請求項４４】
請求項４３に係るコンピュータプログラム（３６０）を格納するキャリアであって、前記キャリアは電気信号、光信号、無線信号、またはコンピュータ可読記憶媒体の何れか１つであることを特徴とするキャリア。
【請求項４５】
非一時的なコンピュータ読取可能な記憶媒体であって、アンテナシステムの受信電力を測定するための測定装置の制御システムによって実行された場合に、前記測定装置に請求項１から１６のいずれか１項に記載の方法を実行させる実行可能な命令を含むコンピュータプログラム（３６０）を格納することを特徴とする非一時的なコンピュータ読取可能な記憶媒体。
【請求項４６】
コンピュータプログラム（８５０）であって、ネットワークノード（２０，８００，１２００）の処理回路によって実行された場合に、前記ネットワークノード（２０，８００，１２００）に請求項１７から１９のいずれか１項に記載の方法を実行させる実行可能な命令を含むコンピュータプログラム。
【請求項４７】
請求項４６に係るコンピュータプログラム（８５０）を格納するキャリアであって、前記キャリアは電気信号、光信号、無線信号、またはコンピュータ可読記憶媒体の何れか１つであることを特徴とするキャリア。
【請求項４８】
非一時的なコンピュータ読取可能な記憶媒体であって、アンテナシステムの受信電力を測定するための測定装置の制御システムによって実行された場合に、前記測定装置に請求項１７から１９のいずれか１項に記載の方法を実行させる実行可能な命令を含むコンピュータプログラム（８５０）を格納することを特徴とする非一時的なコンピュータ読取可能な記憶媒体。
【発明の詳細な説明】
【技術分野】
【０００１】
本開示は一般的には混合ヌメロロジの無線通信ネットワークに関し、より具体的には混合ヌメロロジの無線通信システムにおけるランダムアクセス手順に関する。
【背景技術】
【０００２】
第五世代（５Ｇ）または次世代無線（ＮＲ）の無線通信ネットワークは共通の無線アクセスネットワーク（ＲＡＮ）を使用して複数タイプのサービスに対するサポート（支援）を提供する。ＮＲ無線通信ネットワークによって提供されるサービスは、例えばＥｎｈａｎｃｅｄ  Ｍｏｂｉｌｅ  Ｂｒｏａｄｂａｎｄ（ｅＭＢＢ）、マシン型通信（ＭＴＣ）、大容量マシン型通信（ｍＭＴＣ）、および超高信頼低遅延通信（ＵＲＬＬＣ）を含んでもよい。これらのサービスは、遅延、データレート、およびパケット損失率の観点から異なるサービス品質（ＱｏＳ）を必要とする。例えば、ＵＲＬＬＣは低遅延および／または高信頼性を必要とする。小さいパケットの低頻度の送信にしばしば使用されるｍＭＴＣは、一般的に長いバッテリ寿命を必要とするが、低遅延または高いデータレートは必要としない。対照的に、ｅＭＢＢは高いデータレートを必要とし、ＵＲＬＬＣよりは一般的には厳しくはないが、遅延について厳しい要件をしばしば有する。
【０００３】
異なるサービスへのＱｏＳ要件（例えば遅延）を満たすために、１つのキャリアに混合ヌメロロジを導入することが提案されており、これによって１つのキャリアを介して上述のサービスが提供されることができる。混合ヌメロロジシステムにおいて、コンポーネントキャリアは異なるＱｏＳ要件を有するサービスを支援するために異なるヌメロロジを有する２つ以上のサブバンドに分割されることができる。サブバンドのサブキャリア間隔は、２＾ｎ×１５ｋＨｚ（ｎは設定可能）でありうる。したがって、混合ヌメロロジを使用してＮＲシステムまたは他の無線通信ネットワークを収容可能なランダムアクセス手順への需要があった。これまで、混合ヌメロロジを使用したＮＲシステムまたは他の無線通信ネットワークにおけるランダムアクセス手順についてはほとんど考慮されていない。
【発明の概要】
【０００４】
本開示は１つのキャリアに対して設定可能な複数のヌメロロジが存在する場合にランダムアクセス手順を設定するまたは事前に設定するための方法および装置を紹介する。いくつかの実施形態では、無線機器のランダムアクセスヌメロロジはシステム情報ブロック（ＳＩＢ）を使用して設定される。他の実施形態では、無線機器によって使用されるランダムアクセスヌメロロジは１つ以上の同期信号（ＳＹＮＣ）の検出に基づいて暗示的に判定される。
【０００５】
本開示の例示的な実施形態は、複数ヌメロロジを支援する無線通信ネットワークにおける無線機器によって実施されるランダムアクセス方法を含む。より具体的には、方法は、ランダムアクセスのための１つのヌメロロジと、少なくとも１つのデータチャネルのための異なるヌメロロジとを使用する混合ヌメロロジシステムで利用されてもよい。
【０００６】
１つの例示的な方法によれば、無線機器は、無線通信ネットワークの基地局または他のネットワークノードからシステム情報（ＳＩ）を受信する。ＳＩはランダムアクセスのための設定を指示する設定情報を格納する。ＳＩで受信した設定情報に基づき、無線機器はランダムアクセスのためのヌメロロジを判定する。方法はさらに、基地局との接続を確立するために判定されたヌメロロジに従って設定されたサブバンド上でランダムアクセスを実行することを含む。いくつかの実施形態では、方法はさらに、共有アップリンク（ＵＬ）チャネル上で基地局または他のネットワークノードへユーザデータを送信することを含む。
【０００７】
別の例示的な方法によれば、無線機器は、無線通信ネットワークの基地局または他のネットワークノードからＳＩを受信する。ＳＩはランダムアクセスのための設定を指示する設定情報を格納する。ＳＩで受信した設定情報に基づき、無線機器はランダムアクセスのための第１のヌメロロジを判定する。方法はさらに、基地局との接続を確立するために第１のヌメロロジに従って設定されたサブバンド上でランダムアクセスを実行することを含む。ネットワークノードとの接続を確立した後、無線機器は、共有ＵＬチャネル上でのデータ伝送のための第２のヌメロロジに従って設定された第２のサブバンドに切り替える。いくつかの実施形態では、方法はさらに、共有ＵＬチャネル上で基地局または他のネットワークノードへユーザデータを送信することを含む。
【０００８】
別の例示的な方法によれば、無線機器は、無線通信ネットワークの基地局または他のネットワークノードからＳＩを受信する。ＳＩはランダムアクセスのためのヌメロロジを指示する設定情報を格納する。方法はさらに、基地局との接続を確立するために指示されたヌメロロジに従って設定されたサブバンド上でランダムアクセスを実行することを含む。指示されたヌメロロジは、基地局または他のネットワークノードが、共通の処理ハードウェアを使用して、ランダムアクセスプリアンブルおよび共有ＵＬチャネル上での後続の伝送を処理することを可能にする。いくつかの実施形態では、方法はさらに、共有ＵＬチャネル上で基地局または他のネットワークノードへユーザデータを送信することを含む。
【０００９】
別の例示的な方法によれば、無線機器は、無線通信ネットワークの基地局または他のネットワークノードからＳＩを受信する。ＳＩはランダムアクセスのための設定を指示する設定情報を格納する。ＳＩで受信した設定情報に基づき、無線機器はランダムアクセスのためのデフォルトヌメロロジを判定する。方法はさらに、基地局との接続を確立するためにデフォルトヌメロロジに従って設定されたサブバンド上でランダムアクセスを実行することを含む。ネットワークノードとの接続を確立した後、無線機器は、データ伝送のための第２のヌメロロジに従って設定された第２のサブバンドに切り替える。
【００１０】
別の例示的な方法によれば、無線機器は、無線通信ネットワークの基地局または他のネットワークノードからＳＩを受信する。ＳＩはランダムアクセスのための２つ以上の利用可能なヌメロロジを指示する設定情報を格納する。ＳＩで受信した設定情報に基づき、無線機器はランダムアクセスのために利用可能なヌメロロジのうちの１つを選択する。方法はさらに選択したヌメロロジを使用してランダムアクセスを実行することを含む。いくつかの実施形態では、方法はさらに、ランダムアクセスを実行した後、データ伝送のための異なるヌメロロジに従って設定されたサブバンドへ切り替えることを含む。
【００１１】
別の例示的な方法によれば、無線機器は基地局または他のネットワークノードによって送信された１つ以上の同期信号を検出する。無線機器は検出した同期信号から１つ以上の利用可能なヌメロロジを判定し、基地局または他のネットワークノードとの接続を確立するために利用可能なヌメロロジのうちの１つに従って設定されたサブバンド上でランダムアクセスを実行する。
【００１２】
本開示の別の実施形態は、上述のランダムアクセス方法を実行するよう設定された無線機器を含む。いくつかの実施形態では、無線機器は、無線通信ネットワークのネットワークノードとの通信のためのインタフェース回路と、ランダムアクセス方法を実行するよう設定された処理回路とを備える。いくつかの実施形態では、無線機器はさらに、無線機器の処理回路によって実行された場合に、無線機器に上述したランダムアクセス方法を実行させるプログラムコードを格納するメモリを備える。
【００１３】
本開示の別の実施形態は、無線機器の処理回路によって実行された場合に、無線機器に上述したランダムアクセス方法のいずれか１つを実行させる実行可能命令を含むコンピュータプログラム製品を含む。さらに他の実施形態はコンピュータプログラム製品を格納するキャリアを含む。キャリアは、電気信号、光信号、無線信号、またはコンピュータ可読記憶媒体のうちの１つを含んでもよい。
【００１４】
別の実施形態は、複数ヌメロロジを支援する無線通信ネットワークの基地局または他のネットワークノードによって実施されるランダムアクセス方法を含む。１つの例示的な方法によれば、基地局または他のネットワークノードは、基地局または他のネットワークノードによってサービスを提供されるエリア内の無線機器にＳＩを送信する。ＳＩは、基地局のサービスエリア内の無線機器が、ランダムアクセスのために第１のヌメロロジを判定することを可能にするランダムアクセスのための設定情報を格納する。基地局または他のネットワークノードは、利用可能なヌメロロジまたは複数ヌメロロジにしたがって設定された１つ以上のサブバンド内のランダムアクセスチャネルをモニタする。
【００１５】
１つの例示的な方法によれば、基地局または他のネットワークノードは、基地局または他のネットワークノードによってサービスを提供されるエリア内の無線機器にＳＩを送信する。ＳＩは、基地局のサービスエリア内の無線機器が、ランダムアクセスのために第１のヌメロロジを判定することを可能にするランダムアクセスのための設定情報を格納する。基地局または他のネットワークノードは、第１のヌメロロジにしたがって設定されたランダムアクセスチャネルをモニタする。一実施形態では、基地局によって実施されるランダムアクセス方法はさらに、第１のヌメロロジに従って設定された第１のサブバンド上で無線機器からランダムアクセスプリアンブルを受信することと、第１のヌメロロジとは異なる第２のヌメロロジに従って設定された共有ＵＬチャネル上で無線機器からのＵＬ伝送を受信することと、を含む。
【００１６】
別の例示的な方法によれば、無線通信ネットワークの基地局または他のネットワークノードは、基地局または他のネットワークノードによってサービスを提供されるエリア内の無線機器にＳＩを送信する。ＳＩはランダムアクセスのための２つ以上の利用可能なヌメロロジを含む設定情報を格納する。基地局またはネットワークノードは、利用可能なヌメロロジにしたがって設定されたサブバンド内の１つ以上のランダムアクセスチャネルをモニタする。いくつかの実施形態では、基地局によって実施されるランダムアクセス方法はさらに、利用可能なヌメロロジのうちの１つにしたがって設定されたサブバンド上で無線機器からのランダムアクセスプリアンブルを受信することを含む。
【００１７】
別の例示的な方法によれば、無線通信ネットワークの基地局または他のネットワークノードは、基地局または他のネットワークノードによってサービスを提供されるエリア内の無線機器にＳＩを送信する。ＳＩはランダムアクセスのためのヌメロロジを指示する設定情報を格納する。基地局または他のネットワークノードは、指示されたヌメロロジにしたがって設定されたランダムアクセスチャネルをモニタする。いくつかの実施形態では、基地局はその後共有ＵＬチャネル上で無線機器からのデータ伝送を受信するよう適合された処理ハードウェアを使用して、ランダムアクセスチャネル上で送信されるプリアンブルを受信する。
【００１８】
本開示の別の実施形態は、上述のランダムアクセス方法を実行するよう設定された基地局または他のネットワークノードを含む。いくつかの実施形態では、基地局または他のネットワークノードは、無線通信ネットワークの無線機器との通信のためのインタフェース回路と、ランダムアクセス方法を実行するよう設定された処理回路とを備える。いくつかの実施形態では、基地局または他のネットワークノードはさらに、無線機器の処理回路によって実行された場合に、無線機器に上述したランダムアクセス方法を実行させるプログラムコードを格納するメモリを備える。
【００１９】
本開示の別の実施形態は、基地局または他のネットワークノードの処理回路によって実行された場合に、基地局または他のネットワークノードに上述したランダムアクセス方法のいずれかを実行させる実行可能命令を含むコンピュータプログラム製品を含む。さらに他の実施形態はコンピュータプログラム製品を格納するキャリアを含む。キャリアは、電気信号、光信号、無線信号、またはコンピュータ可読記憶媒体のうちの１つを含んでもよい。
【図面の簡単な説明】
【００２０】
【図１】異なるヌメロロジをもつ２つ以上のサブバンドを支援する無線通信ネットワークを示す図。
【図２】混合ヌメロロジの一例を示す図。
【図３ａ】混合ヌメロロジの無線通信ネットワークにおけるディスカバリ基準信号（ＤＲＳ）の可能な設定を示す図。
【図３ｂ】混合ヌメロロジの無線通信ネットワークにおけるディスカバリ基準信号（ＤＲＳ）の可能な設定を示す図。
【図３ｃ】混合ヌメロロジの無線通信ネットワークにおけるディスカバリ基準信号（ＤＲＳ）の可能な設定を示す図。
【図４】混合ヌメロロジの無線通信ネットワークにおける無線機器によって実施されるランダムアクセスの第１の例示的な方法を示す図。
【図５】混合ヌメロロジの無線通信ネットワークにおける無線機器によって実施されるランダムアクセスの第２の例示的な方法を示す図。
【図６】混合ヌメロロジの無線通信ネットワークにおける無線機器によって実施されるランダムアクセスの第３の例示的な方法を示す図。
【図７】混合ヌメロロジの無線通信ネットワークにおける無線機器によって実施されるランダムアクセスの第４の例示的な方法を示す図。
【図８】混合ヌメロロジの無線通信ネットワークにおける無線機器によって実施されるランダムアクセスの第５の例示的な方法を示す図。
【図９】混合ヌメロロジの無線通信ネットワークにおける動作向けに設定された例示的な無線機器を示す図。
【図１０】混合ヌメロロジの無線通信ネットワークにおける無線機器によって実施されるランダムアクセスの第６の例示的な方法を示す図。
【図１１】混合ヌメロロジの無線通信ネットワークにおける動作向けに設定された別の実施形態に係る無線機器を示す図。
【図１２】混合ヌメロロジの無線通信ネットワークにおける基地局または他のネットワークノードによって実施されるランダムアクセスの第１の例示的な方法を示す図。
【図１３】混合ヌメロロジの無線通信ネットワークにおける基地局または他のネットワークノードによって実施されるランダムアクセスの第２の例示的な方法を示す図。
【図１４】混合ヌメロロジの無線通信ネットワークにおける基地局または他のネットワークノードによって実施されるランダムアクセスの第３の例示的な方法を示す図。
【図１５】混合ヌメロロジの無線通信ネットワークにおける基地局または他のネットワークノードによって実施されるランダムアクセスの第４の例示的な方法を示す図。
【図１６】混合ヌメロロジの無線通信ネットワークにおける動作向けに設定された例示的なネットワークノード（例えば基地局）を示す図。
【図１７】混合ヌメロロジの無線通信ネットワークにおける基地局または他のネットワークノードによって実施されるランダムアクセスの別の例示的な方法を示す図。
【図１８】混合ヌメロロジの無線通信ネットワークにおける動作向けに設定された別の実施形態に係るネットワークノード（例えば基地局）を示す図。
【図１９】混合ヌメロロジの無線通信ネットワークにおける動作向けに設定された別の実施形態に係る無線機器を示す図。
【図２０】混合ヌメロロジの無線通信ネットワークにおける動作向けに設定された別の実施形態に係る無線機器を示す図。
【図２１】混合ヌメロロジの無線通信ネットワークにおける動作向けに設定された別の実施形態に係るネットワークノード（例えば基地局）を示す図。
【図２２】混合ヌメロロジの無線通信ネットワークにおける動作向けに設定された別の実施形態に係るネットワークノード（例えば基地局）を示す図。
【発明を実施するための形態】
【００２１】
図面を参照し、図１はユーザデータ伝送のための混合ヌメロロジを支援する例示的な無線通信ネットワーク１０を示す。通信ネットワーク１０は複数のセル１２を含むが、図１では１つのみのセル１２が示されている。各セル１２内の基地局２０は数字３０によって一般的に指示されるセル１２内の無線機器と通信する。図１は３つの無線機器３０、ＭＢＢ通信のために設定されたｅＭＢＢ機器３０ａ、ＭＴＣのために設定されたｍＭＴＣ機器３０ｂ、およびＵＲＬＬＣのために設定されたＵＲＬＬＣ機器３０ｃ、を示す。基地局２０は、異なるヌメロロジに従って設定されたサブバンドに分けられた単一のコンポーネントキャリアを介して無線機器３０と通信する。本例において、基地局２０は、異なるヌメロロジに従って設定された第１、第２、および第３のサブバンドの個別のデータチャネルを介して、ｅＭＢＢ機器３０ａ、ｍＭＴＣ機器３０ｂ、およびＵＲＬＬＣ機器３０ｃと通信する。
【００２２】
説明のために、本開示の例示的な実施形態がＮＲ通信ネットワークのコンテキストで説明される。しかしながら、当業者は、本発明はユーザデータ伝送のための混合ヌメロロジを支援する他の無線通信ネットワーク１０により一般的に適用可能であるということを理解されるであろう。
【００２３】
図２は１つのコンポーネントキャリア（ＣＣ）５０上の混合ヌメロロジの例を示す。より具体的には、図２はサブバンド１（ＳＢ１）およびサブバンド２（ＳＢ２）としてそれぞれ表される２つのサブバンド５２を示す。ＳＢ１は、ＳＢ２と比較して、比較的狭いサブキャリア間隔（例えば１５ｋＨｚ）および比較的長いシンボル期間で設定される。ＳＢ２は、ＳＢ１と比較して、比較的広いサブキャリア間隔（例えば６０ｋＨｚ）および比較的短いシンボル期間で設定される。
【００２４】
図３Ａ〜図３Ｃはユーザデータ伝送のための混合ヌメロロジを支援する無線通信ネットワーク１０におけるディスカバリ基準信号（ＤＲＳ）のあり得る設定を示す。ＤＲＳは、例えばセルまたは送受信ポイント（ＴＲＰ）の発見および識別、少なくとも粗い時間および周波数同期、および初期ランダムアクセスのための必須のＳＩ取得のために使用されうる信号のセットを含む。ＤＲＳは、ロングタームエボリューション（ＬＴＥ）システムと同様のマスタ情報ブロック（ＭＩＢ）、モビリティリファレンス信号（ＭＲＳ）、およびチャネル状態情報基準信号（ＣＲＩ−ＲＳ）を含んでもよい。最小のシステム情報を取得するプロセスにおいて使用されるシグネチャ系列（ＳＳ）もＤＲＳに含まれてもよい。ＮＲネットワークにおいて、ＤＲＳは同期信号ブロック（ＳＳＢ）に対応する。
【００２５】
図３Ａ〜図３Ｃは２つのサブバンド５２を有するコンポーネントキャリア５０のための異なるＤＲＳ構成を示す。図３Ａは、単一ヌメロロジの同一ＤＲＳ信号を共有する異なるヌメロロジの２つのサブバンド（またはＲＡＮスライス）５２を示す。他のヌメロロジのディスカバリは、ＤＲＳ信号の伝送パターンまたはＤＲＳの内容によって判定される。代替的に、ＤＲＳのみのサブバンドは、初期システムアクセスに必要な情報を含み、そこでの情報（複数ヌメロロジに関する情報など）は専用シグナリングを使用して無線機器３０に搬送される。この設計は、混合ヌメロロジ動作のためのＤＲＳのオーバーヘッドを抑え、ＤＲＳの検索を単純化することができるが、第２のヌメロロジを好む１つの無線機器３０も同様に第１のヌメロロジを支援すべきである。しかしながら、無線機器３０が異なるヌメロロジのための十分に良好なタイミングを導出できるように、ＤＲＳは注意深く設計されるべきである。なお、ＤＲＳはヌメロロジ１および２の両方とは異なるヌメロロジで送信されてもよい。３ＧＰＰは、現在、各周波数帯またはキャリア周波数のためのデフォルトＤＲＳヌメロロジを有することを議論している。キャリアが（例えばデプロイメントまたはユースケースによって）このデフォルトヌメロロジとは異なるヌメロロジで動作する場合、ＤＲＳヌメロロジはヌメロロジ１および２とは明らかに異なる。この場合はデフォルトヌメロロジとは異なる単一のヌメロロジでキャリアを運用するシステムにも関連する。
【００２６】
図３Ｂはキャリア帯域幅の同じ部分に位置する２つのサブバンド固有のＤＲＳを示す。実際のサブバンドの寸法／配置は、例えばＤＲＳの一部として送信されるＭＩＢなどの、個別のＤＲＳによって搬送されるコンテンツによって指示される。この設計はＤＲＳの検索を単純化し、１つの無線機器３０は複数のヌメロロジの動作をサポートする必要がないが、ヌメロロジ２のＤＲＳがサブバンド５２に内蔵されていないため、同期モニタリング性能が損なわれうる。さらに、ＤＲＳのオーバーヘッドは、第１のオプションの２倍である。
【００２７】
図３Ｃは、各サブバンド５２のＤＲＳが内蔵される、複数ヌメロロジのＤＲＳを示す。時間領域における異なるヌメロロジのＤＲＳ間で特定の位置揃えがありうる。実際のサブバンドの寸法／配置は、それらのうちの１つまたは個別のＤＲＳによって搬送されるコンテンツによって指示される。ＤＲＳの帯域内送信は、測定に関する同期および無線リソース管理（ＲＲＭ）の良好な性能を有するが、ＤＲＳの位置はサブバンド間の帯域寸法／配置に従って適用されるべきであり、無線機器３０はＤＲＳの位置が予想可能ではないという事実のために、ＤＲＳを探索するためにより長い時間を必要としてもよい。本例において、ＤＲＳのオーバーヘッドは、第１のオプションの２倍である。
【００２８】
異なるＤＲＳの例が上述されるが、当業者は他のＤＲＳ構成が可能であるということを理解するであろう。
【００２９】
ＮＲによってサポートされている広い周波数範囲、１ＧＨｚ未満から１００ＧＨｚまで、を考えると、ＮＲは複数のヌメロロジを定義する可能性がある。どのようにＤＲＳ／ＳＹＮＣ信号が設定されるべきかが現在議論されている。１つの可能性は、キャリア上での他の伝送に使用されるヌメロロジに関係なく、ＤＲＳ信号のヌメロロジ動作周波数／周波数帯に接続することである。したがって、単一のヌメロロジを使用するキャリアは、データ伝送に使用されるヌメロロジとは異なるＤＲＳヌメロロジを含んでいてもよい。
【００３０】
考慮を必要とする別の態様は、混合ヌメロロジの無線通信ネットワーク１０におけるランダムアクセスチャネル（ＲＡＣＨ）をどのように設定するかである。１つの可能性は、無線通信ネットワーク１０が異なるヌメロロジを使用する複数ＲＡＣＨを有してもよいということである。別の可能性は、無線通信ネットワーク１０がデータ伝送に使用されるトラフィックチャネル上の混合ヌメロロジを支援する一方、単一のヌメロロジに従って設定されたＲＡＣＨを有してもよいということである。トラフィックチャネル上でデータ伝送のために混合ヌメロロジを使用する無線通信ネットワーク１０によって生じる問題に対処するために、本開示はランダムアクセス手順を規定するまたは事前に設定するための方法を説明する。以下の説明において、ヌメロロジに設定されたサブバンドを参照するためにヌメロロジが大まかに使用される。
【００３１】
解決策１：システム情報ブロックを使用して無線機器３０のランダムアクセスの挙動を設定する
例示的な実施形態において、設定可能な異なるランダムアクセスオプションがあってもよい。基地局２０または他のネットワークノードは、特定のランダムアクセスオプションを用いるように無線機器３０を設定するためのＳＩＢ内のインジケータを含んでもよい。以降、ランダムアクセス手順のためのいくつかの例示的なオプションである。
【００３２】
・オプション１：  無線機器３０は単一のヌメロロジを介してランダムアクセスを実行するべきである
本構成にしたがって、無線機器３０は最初に１つのヌメロロジを介して無線通信ネットワーク１０にアクセスし、その後無線機器３０のタイプ、トラフィックタイプ、および／または予め設定されたＲＡＮスライスの選択規則に従い、好適なヌメロロジに切り替えるべきである。ランダムアクセスのためのヌメロロジは、事前に定義されたデフォルトヌメロロジまたはシステム情報で設定されたヌメロロジでありうる。
【００３３】
ヌメロロジ切替の１つのタイプの実施形態として、無線機器３０は、好適なヌメロロジを使用したタイミングアドバンス（ＴＡ）の補正なしに他のヌメロロジに直接切り替える。１つのヌメロロジのＴＡ構成は別のヌメロロジのために直接使用することができる。さらに、別のヌメロロジの累積された電力調整値に基づいて、１つのヌメロロジの電力調整値を導出するために適用可能である。本実施形態では、ヌメロロジ間の良好な同期があり、対象ヌメロロジで使用されるサイクリックプレフィックス（ＣＰ）長はＴＡの不正確さに対処できるということが想定される。
【００３４】
ヌメロロジ切替の別の実施形態として、無線機器３０は物理ランダムアクセスチャネル（ＰＲＡＣＨ）の伝送またはＵＬにおける別のＵＬサウンディング基準信号（ＳＲＳ）の伝送を使用して、特定のＴＡ補正とともにヌメロロジ切替を実行してもよい。ＰＲＡＣＨ（またはＵＬ  ＳＲＳ）検出に基づいて、対象ヌメロロジのためのＴＡが、ＵＬ信号伝送のためのタイミングを補正するために導出され、無線機器３０に送信される。
【００３５】
一例として、無線機器３０が１５ｋＨｚのサブキャリア間隔の第１のヌメロロジから、６０ｋＨｚのサブキャリア間隔の第２のヌメロロジへ切り替える際に、より短いＣＰが使用されるため、第２のヌメロロジは一般的により高いＴＡの精度を必要とする。この場合において、無線機器３０は、ＴＡ測定のための第２のヌメロロジを使用して、別のＰＲＡＣＨ（またはＵＬ  ＳＲＳなどの任意の他の基準信号）を送信するよう設定されうる。逆方向での切り替えの場合、無線機器３０は、短いＣＰを有するヌメロロジからより長いＣＰを有するヌメロロジに切り替えることができる。この場合、デフォルトのヌメロロジに基づいて導出されたＴＡが十分良好であるため、特定のＴＡのトレーニングは必要ない。
【００３６】
・オプション２：無線機器３０はトラフィックタイプに従ってランダムアクセスのためのヌメロロジを判定する
本構成によれば、ヌメロロジマッピングの関係に対するサービスタイプは無線機器３０に対してあらかじめ設定されうる。無線機器３０からセッション要求がある場合、無線機器３０はセッションタイプにしたがって好適なヌメロロジを判定する。無線機器３０は好ましいヌメロロジを介して、無線通信ネットワーク１０に直接アクセスすることができる。本セットアップにおいて、ＳＩはＰＲＡＣＨ構成のリストであって、サービスごとに１つのリストエントリが格納される。一例として、ＵＲＬＬＣサービスを適用する無線機器３０は、広いサブキャリア間隔のヌメロロジを介して無線通信ネットワーク１０にアクセスすることができる。
【００３７】
他の例として、ある特定の無線機器３０は、ｍＭＴＣまたはＵＲＬＬＣのための無線機器３０などの、特定のアプリケーションのために設計されてもよい。そのような無線機器３０のために、無線機器は、ネットワークによって支援されるヌメロロジのリストから、デバイスタイプまたは無線機器３０に従って、ランダムアクセスのための好ましいヌメロロジを選択することができる。ｍＭＴＣに特に適合された無線機器３０は、最も狭いサブキャリア間隔（例えば、３．７５ｋＨｚ）を有するヌメロロジを介して無線通信ネットワーク１０にアクセスすることができ、一方でＵＲＬＬＣに特に適合された無線機器３０は、最も広いサブキャリア空間（例えば、６０ｋＨｚ）を有するヌメロロジを介して無線通信ネットワーク１０にアクセスしてもよい。
【００３８】
・オプション３：無線機器３０はランダムアクセスのためのヌメロロジを適応的に選択する
本設定によれば、無線通信ネットワーク１０は、無線機器３０をランダムアクセスのための好ましいヌメロロジを選択するよう設定する、すなわち、ＳＩは支援されるＰＲＡＣＨヌメロロジのリストを格納し、無線機器３０は好ましいヌメロロジを選択する。基地局２０または他のＴＲＰの近傍にいる無線機器３０は、ランダムアクセスのための遅延を低減するために、広いサブキャリア間隔および短い送信時間間隔（ＴＴＩ）を有するヌメロロジを選択することができる。しかしながら、ＴＲＰから遠い無線機器３０について、無線機器３０はランダムアクセスメッセージのロバスト性を改善するために、狭いサブキャリア間隔および長いＴＴＩを有するヌメロロジを選択することができる。その後、無線機器３０はＱｏＳ要件にしたがって好ましいヌメロロジへ（無線通信ネットワーク１０からの設定に基づいて）切り替えることができる。
【００３９】
・オプション４：単一のヌメロロジシステム
１つの可能なセットアップは、ＤＲＳヌメロロジがキャリア上で使用されるヌメロロジとは異なる単一または複数のヌメロロジキャリアである。このアプローチの１つの理由は、ＤＲＳのヌメロロジが周波数帯またはキャリア周波数に結び付けられるが、キャリアは別のヌメロロジで動作することである。受信器における専用のＰＲＡＣＨ高速フーリエ変換（ＦＦＴ）ハードウェアを必要としないが、データチャネルのＦＦＴハードウェアの再利用を可能とするいくつかのＰＲＡＣＨプリアンブルの設計の提案がある。この場合、ＰＲＡＣＨヌメロロジは、他のＵＬ伝送のために使用されるヌメロロジと一致することが好ましい。無線通信ネットワーク１０における基地局２０または他のネットワークノードは、ＳＩ内で、キャリア上のＵＬ伝送のために使用されるヌメロロジと同一の（またはＰＲＡＣＨプリアンブルを同じハードウェアで処理できるという意味で最も関連がない）ＰＲＡＣＨヌメロロジを指示してもよい。
【００４０】
解決策２：無線機器３０はＳＹＮＣ信号のモニタリングに基づいてランダムアクセス手順を導出する
このオプションによれば、無線機器３０はＳＹＮＣ信号の検出に基づいてランダムアクセスのためのヌメロロジを導出する。
【００４１】
一例として、無線機器３０はＳＹＮＣ信号のヌメロロジ（または複数のヌメロロジ）に基づいてランダムアクセスのための可能なヌメロロジを導出する。無線機器３０は、ランダムアクセスのためのＳＹＮＣ信号の伝送に用いられる（または規則を介してＳＹＮＣヌメロロジから導出される）ヌメロロジを選択する。ＳＹＮＣ信号が１つ以上のヌメロロジを使用している場合、異なる事前設定がありうる、
・無線機器３０がＳＹＮＣ信号によって使用されるヌメロロジからランダムアクセスのために何れか１つを選択することを可能にするかどうかを事前に定義することができる、または、
・無線機器３０のタイプまたはサービスタイプにしたがって、ＳＹＮＣ信号によって使用されるヌメロロジから好ましいものを無線機器３０が選択することを規定することができる、または
・無線機器３０はランダムアクセスのための単一の固定のヌメロロジを選択することを、事前に定義することができる。
【００４２】
例えば、図３Ｂのように設計されたＳＹＮＣのために、無線機器３０はＳＹＮＣ信号の第１の部分のヌメロロジ（すなわち、ヌメロロジ１）を選択すべきである。無線機器３０がいずれかのヌメロロジを介してランダムアクセスを実行することを可能にする、または異なる無線機器３０が異なるヌメロロジを介してランダムアクセスを実行することを可能にするために、無線通信ネットワーク１０は複数ヌメロロジにおけるＰＲＡＣＨ送信をモニタしてもよく、これはネットワーク側の計算の複雑さを増大させる。ランダムアクセスメッセージの低遅延またはロバスト性の強化のいずれかのランダムアクセス性能の向上を達成することが期待される。
【００４３】
別の例として、ランダムアクセスのためのヌメロロジはＳＹＮＣ列によって指示される。複数ＳＹＮＣ列があってもよく、これらのＳＹＮＣ列は２グループに分割される：第１のグループからのＳＹＮＣ列は、無線機器３０が検出した列によって使用されるヌメロロジを介してランダムアクセスを開始することができることを指示する。そうでなければ、無線機器３０はＳＹＮＣ列によって使用される任意のヌメロロジを使用することができる。
【００４４】
この背景で、本開示の様々な実施形態が以下に説明される。
【００４５】
図４は、異なるサービスを支援するための混合ヌメロロジを使用する混合ヌメロロジの無線通信ネットワーク１０における無線機器３０によって実施されるランダムアクセスの例示的な方法１００を示す。混合ヌメロロジ通信ネットワーク１０は、アップリンク共有チャネル（ＵＳＣＨ）および／またはダウンリンク共有チャネル（ＤＳＣＨ）のようなＵＬおよび／またはダウンリンクトラフィックチャネルを介して、無線機器３０とのデータ伝送を支援する。無線機器３０が異なるサービスまたは機器のための混合ヌメロロジを支援する無線通信ネットワーク１０で動作する場合、無線機器３０はＲＡＣＨによって使用されるリソースおよび／またはヌメロロジを知らなくてもよい。図４に示される方法では、無線機器３０は無線通信ネットワークの基地局２０または他のネットワークノードからＳＩを受信する（ブロック１０５）。ＳＩはランダムアクセスのための設定を指示する設定情報を格納する。例えば、設定はランダムアクセスのためのヌメロロジを含みうる。ＳＩで受信した設定情報に基づき、無線機器３０はランダムアクセスのためのヌメロロジを判定する（ブロック１１０）。無線通信ネットワーク１０は、複数ヌメロロジがユーザトラフィックのために、または異なるＲＡＣＨ上の異なるヌメロロジのために支援される場合であっても、ＲＡＣＨのために単一のヌメロロジを採用してもよいことは理解されたい。設定情報に基づいてランダムアクセスのためのヌメロロジを判定した後、無線機器３０は、基地局２０との接続を確立するために、判定したヌメロロジに従って設定されたサブバンド上でランダムアクセスを実行する（ブロック１１５）。ランダムアクセスの場合、サブバンドは単にランダムアクセスに使用されるキャリアまたは周波数リソースであってもよい。
【００４６】
方法１００のいくつかの実施形態において、ユーザトラフィックチャネルを介した送信のために複数のヌメロロジが支援されている場合であっても、無線通信ネットワーク１０はランダムアクセスのための単一のヌメロロジを使用してもよい。この場合、無線機器３０は、無線機器との接続を確立するためにあらかじめ設定されたデフォルトヌメロロジにしたがって設定された第１のサブバンド上でランダムアクセスを実行してもよく、続いてトラフィックチャネル上でのデータ伝送のための第２のヌメロロジにしたがって設定された第２のサブバンドに切り替えてもよい。第２のサブバンドは無線機器のタイプ、サービスタイプ、または事前に定義されたスライス選択規則に基づいて選択されてもよい。
【００４７】
方法１００のいくつかの実施形態において、無線機器３０は、第１のサブバンド上でのランダムアクセスの間にタイミングアドバンス値を判定し、第２のサブバンドにおけるデータ伝送のために第１のサブバンドに対するタイミングアドバンス値を使用してもよい。別の実施形態では、無線機器３０は、第１のサブバンドで基地局２０または他のネットワークノードとの接続を確立した後、第２のサブバンドからタイミングアドバンス値を取得し、第２のサブバンド内でデータ伝送のための第２のサブバンドに対するタイミングアドバンス値を使用してもよい。タイミングアドバンス値は、例えば、第２のサブバンドでランダムアクセスプリアンブルを送信し、第２のサブバンドのためのタイミングアドバンスでタイミングアドバンス値を含むランダムアクセス応答を受信することで取得されてもよい。別の実施形態では、携帯機器３０は基準信号を第２のサブバンドで送信し、第２のサブバンドに対するタイミングアドバンス値を含む、基準信号に応答する応答メッセージを受信する。
【００４８】
方法１００のいくつかの実施形態では、無線通信ネットワーク１０は異なるヌメロロジを使用するＲＡＣＨを支援してもよい。この場合、ＳＩの一部として送信される設定情報はランダムアクセスのために利用可能な２つ以上のヌメロロジのリストを含んでもよい。無線機器３０は利用可能なヌメロロジのうちの１つに従って設定されたサブバンドを選択し、選択したサブバンドでランダムアクセスを実行してもよい。
【００４９】
方法１００の１つの例示的な実施形態では、無線機器３０は、設定情報に基づいて、サービスタイプを対応するヌメロロジに関連付けるマッピングを生成する。無線機器３０がランダムアクセスを実行する必要がある場合、無線機器３０は基地局２０または他のネットワークノードとの接続のためのサービスタイプを判定し、サービスタイプに関連付けられたヌメロロジにしたがって設定されたサブバンドを選択する。無線機器３０は続いて選択したサブバンド上でランダムアクセスを実行する。サービスタイプを対応するヌメロロジに関連付けるマッピングは、無線機器３０のメモリに格納されてもよい。
【００５０】
方法１００の別の実施形態では、無線機器３０は基地局２０または他のネットワークノードへの距離に基づいてヌメロロジおよび／またはサブバンドを選択するよう設定されてもよい。本実施形態では、無線機器３０は基地局２０または他のネットワークノードへの距離を判定し、距離に基づいて利用可能なヌメロロジを選択する。無線機器３０は選択したヌメロロジにしたがって設定されたサブバンドを選択する。
【００５１】
方法１００の他の実施形態では、無線機器３０は基地局２０もしくは他のネットワークノードとの接続のためのサービスタイプおよび／またはデバイスタイプに基づいてサブバンドおよび／ヌメロロジを選択する。これらの実施形態では、無線機器３０は、基地局２０もしくは他のネットワークノードへの所望の接続のためのサービスタイプ、または無線機器３０のデバイスタイプを判定する。無線機器３０は、基地局２０もしくは他のネットワークノードとの接続のためのサービスタイプ、デバイスタイプ、またはその両方に基づいてヌメロロジを選択してもよい。
【００５２】
方法１００の別の実施形態では、設定情報は共有ＵＬチャネルといったＵＬトラフィックチャネル上のデータ伝送のためのヌメロロジと実質的に同一な、ランダムアクセスのためのヌメロロジを指示する。この文脈において、基地局２０または他のネットワークノードにおける同一のハードウェアが、ランダムアクセス手順の間に無線機器３０から送信されるプリアンブルおよびＵＬトラフィックチャネル上でのユーザデータ伝送の両方を受信するために使用されることができる場合、ヌメロロジは実質的に同一である。この場合、無線機器３０は、基地局２０または他のネットワークノードへの接続を確立するためにシステム情報で指示されるヌメロロジに従って設定されたサブバンド上でランダムアクセスを実行する。
【００５３】
図５は、別の実施形態に係る、異なるサービスを支援するための混合ヌメロロジを支援する混合ヌメロロジの無線通信ネットワーク１０における無線機器３０によって実施されるランダムアクセスの例示的な方法１２０を示す。図５に示される方法では、無線機器３０は無線通信ネットワークの基地局２０または他のネットワークノードからＳＩを受信する（ブロック１２５）。ＳＩはランダムアクセスのための設定を指示する設定情報を格納する。ＳＩで受信した設定情報に基づき、無線機器３０はランダムアクセスのための第１のヌメロロジを判定する（ブロック１３０）。方法１２０はさらに、基地局２０との接続を確立するために指示された第１のヌメロロジに従って設定された第１のサブバンド上でランダムアクセスを実行することを含む（ブロック１３５）。ネットワークノードとの接続を確立した後、無線機器３０は、共有ＵＬチャネル上でのデータ伝送のための第２のヌメロロジに従って設定された第２のサブバンドに切り替える（ブロック１４０）。一実施形態では、第１および第２のサブバンドは、それぞれランダムアクセスおよびデータ伝送のために使用されるキャリアまたは周波数リソースを含んでもよい。
【００５４】
方法１２０の他の実施形態では、無線機器３０は基地局２０もしくは他のネットワークノードとの接続のためのサービスタイプおよび／またはデバイスタイプに基づいてサブバンドおよび／またはヌメロロジを選択する。これらの実施形態では、無線機器３０は、基地局２０もしくは他のネットワークノードへの所望の接続のためのサービスタイプ、または無線機器３０のデバイスタイプを判定する。無線機器３０は、基地局２０もしくは他のネットワークノードとの接続のためのサービスタイプ、デバイスタイプ、またはその両方に基づいてヌメロロジを選択してもよい。
【００５５】
方法１２０の他の実施形態では、無線機器３０は規定されたスライス選択規則に基づいてサブバンドおよび／またはヌメロロジを選択する。方法１２０のいくつかの実施形態はさらに、第１のサブバンド上の累積された電力調整値に基づいて、第２のサブバンド上のデータ伝送のための電力調整値を導出することを含む。
【００５６】
方法１２０のいくつかの実施形態において、無線機器３０は、第１のサブバンド上でのランダムアクセスの間にタイミングアドバンス値を取得し、第２のサブバンドにおけるデータ伝送のために第１のサブバンドに対するタイミングアドバンス値を使用してもよい。別の実施形態では、無線機器３０は、第１のサブバンドで基地局２０または他のネットワークノードとの接続を確立した後、第２のサブバンドからタイミングアドバンス値を取得し、第２のサブバンド内でデータ伝送のための第２のサブバンドに対するタイミングアドバンス値を使用してもよい。タイミングアドバンス値は、例えば、第２のサブバンドでランダムアクセスプリアンブルを送信し、第２のサブバンドのためのタイミングアドバンス内でタイミングアドバンス値を含むランダムアクセス応答を受信することによって取得されてもよい。別の実施形態では、携帯機器３０は基準信号を第２のサブバンドで送信し、第２のサブバンドに対するタイミングアドバンス値を含む、基準信号に応答する応答メッセージを受信する。
【００５７】
方法１２０の１つの例示的な実施形態では、無線機器３０は、設定情報に基づいて、サービスタイプを対応するヌメロロジに関連付けるマッピングを生成する。無線機器３０がランダムアクセスを実行する必要がある場合、無線機器３０は基地局２０または他のネットワークノードとの接続のためのサービスタイプを判定し、サービスタイプに関連付けられたヌメロロジに従って設定されたサブバンドを選択する。サービスタイプを対応するヌメロロジに関連付けるマッピングは、無線機器３０のメモリに格納されてもよい。
【００５８】
方法１２０のいくつかの実施形態では、無線通信ネットワーク１０は異なるヌメロロジを使用するＲＡＣＨを支援してもよい。この場合、ＳＩの一部として送信される設定情報はランダムアクセスのために利用可能な２つ以上のヌメロロジのリストを含んでもよい。この場合、無線機器３０は利用可能なヌメロロジのうちの１つに従って設定されたサブバンドを選択し、選択したサブバンドでランダムアクセスを実行する。
【００５９】
方法１２０の別の実施形態では、無線機器３０は基地局２０または他のネットワークノードへの距離に基づいて第１のヌメロロジおよび／またはサブバンドを選択するよう設定されてもよい。本実施形態において、無線機器３０は基地局２０または他のネットワークノードへの距離を判定し、距離に基づいて利用可能なヌメロロジを第１のヌメロロジとして選択する。
【００６０】
方法１２０の別の実施形態では、無線機器３０は基地局または他のネットワークノードへの接続のためのサービスタイプに基づいて第１のヌメロロジおよび／またはサブバンドを選択するよう設定されてもよい。本実施形態において、無線機器３０は基地局または他のネットワークノードへの接続のためのサービスタイプを判定し、サービスタイプに基づいて利用可能なヌメロロジを第１のヌメロロジとして選択する。
【００６１】
方法１２０の別の実施形態では、無線機器３０は無線機器のデバイスタイプに基づいて第１のヌメロロジおよび／またはサブバンドを選択するよう設定されてもよい。本実施形態において、無線機器３０は無線機器のデバイスタイプを判定し、デバイスタイプに基づいて利用可能なヌメロロジを第１のヌメロロジとして選択する。
【００６２】
方法１２０の別の実施形態では、設定情報は共有ＵＬチャネルといったＵＬトラフィックチャネル上のデータ伝送のためのヌメロロジと実質的に同一な、ランダムアクセスのためのヌメロロジを指示する。この文脈において、基地局２０または他のネットワークノードにおける同一の処理ハードウェアが、ランダムアクセス手順の間に無線機器３０から送信されるプリアンブルおよびＵＬトラフィックチャネル上でのユーザデータ伝送の両方を受信するために使用されることができる場合、ヌメロロジは実質的に同一である。この場合、無線機器３０は、基地局２０または他のネットワークノードへの接続を確立するためにＳＩで指示されるヌメロロジに従って設定されたサブバンド上でランダムアクセスを実行する。
【００６３】
図６は、別の実施形態に係る、異なるサービスを支援するための混合ヌメロロジを支援する混合ヌメロロジの無線通信ネットワーク１０における無線機器３０によって実施されるランダムアクセスの例示的な方法１５０を示す。本実施形態では、無線機器３０は無線通信ネットワークの基地局２０または他のネットワークノードからＳＩを受信する（ブロック１５５）。ＳＩはランダムアクセスのためのヌメロロジを指示する設定情報を格納する。無線機器は、基地局２０との接続を確立するために指示されたヌメロロジに従って設定されたサブバンド上でランダムアクセスを実行することを含む（ブロック１６０）。指示されたヌメロロジは、基地局２０または他のネットワークノードが、共通の処理ハードウェアを使用して、ランダムアクセスプリアンブルおよび共有ＵＬチャネル上での後続の伝送を処理することを可能にする。いくつかの実施形態では、方法１４０はさらに、共有ＵＬチャネル上で基地局２０または他のネットワークノードへユーザデータを送信することを含む（ブロック１６５）。
【００６４】
方法１５０のいくつかの実施形態はさらに、ランダムアクセスを実行した後、ＵＬ共有チャネル上でのデータ伝送といった、データ伝送のための異なるヌメロロジに従って設定される第２のサブバンドへ切り替えることを含む。いくつかの実施形態では、第２のサブバンド／ヌメロロジは、無線機器のデバイスタイプ、サービスタイプ、および／または基地局またはネットワークノードからの距離のうちの１つ以上に基づいて選択されうる。他の実施形態では、第２のサブバンド／ヌメロロジはネットワークから受信した設定に基づいて選択されうる。
【００６５】
方法１５０のいくつかの実施形態において、無線機器３０は、第１のサブバンド上でのランダムアクセスの間にタイミングアドバンス値を取得し、第２のサブバンドにおけるデータ伝送のために第１のサブバンドに対するタイミングアドバンス値を使用してもよい。別の実施形態では、無線機器３０は、第１のサブバンドで基地局２０または他のネットワークノードとの接続を確立した後、第２のサブバンドからタイミングアドバンス値を取得し、第２のサブバンド内でデータ伝送のための第２のサブバンドに対するタイミングアドバンス値を使用してもよい。タイミングアドバンス値は、例えば、第２のサブバンドでランダムアクセスプリアンブルを送信し、第２のサブバンドのためのタイミングアドバンス内でタイミングアドバンス値を含むランダムアクセス応答を受信することによって取得されてもよい。別の実施形態では、携帯機器３０は基準信号を第２のサブバンドで送信し、第２のサブバンドに対するタイミングアドバンス値を含む、基準信号に応答する応答メッセージを受信する。
【００６６】
図７は、別の実施形態に係る、異なるサービスを支援するための混合ヌメロロジを支援する混合ヌメロロジの無線通信ネットワーク１０における無線機器３０によって実施されるランダムアクセスの例示的な方法２００を示す。本実施形態では、無線機器３０は無線通信ネットワークの基地局２０または他のネットワークノードからＳＩを受信する（ブロック２１０）。ＳＩはランダムアクセスのための設定を指示する設定情報を格納する。ＳＩで受信した設定情報に基づき、無線機器３０はランダムアクセスのためのデフォルトヌメロロジを判定する（ブロック２２０）。方法２００はさらに、基地局２０、他のネットワークノードとの接続を確立するために指示されたヌメロロジに従って設定された第１のサブバンド上でランダムアクセスを実行することを含む（ブロック２３０）。ネットワークノードとの接続を確立した後、無線機器３０は、データ伝送のための第２のヌメロロジに従って設定された第２のサブバンドに切り替える（ブロック２４０）。
【００６７】
方法２００のいくつかの実施形態では、第２のサブバンドヌメロロジは、無線機器のデバイスタイプ、サービスタイプ、および／または基地局またはネットワークノードからの距離のうちの１つ以上に基づいて判定されてもよい。
【００６８】
方法２００のいくつかの実施形態において、無線機器３０は、第１のサブバンド上でのランダムアクセスの間にタイミングアドバンス値を取得し、第２のサブバンドにおけるデータ伝送のために第１のサブバンドに対するタイミングアドバンス値を使用してもよい。別の実施形態では、無線機器３０は、第１のサブバンドで基地局２０または他のネットワークノードとの接続を確立した後、第２のサブバンドからタイミングアドバンス値を取得し、第２のサブバンド内でデータ伝送のための第２のサブバンドに対するタイミングアドバンス値を使用してもよい。タイミングアドバンス値は、例えば、第２のサブバンドでランダムアクセスプリアンブルを送信し、第２のサブバンドのためのタイミングアドバンス内でタイミングアドバンス値を含むランダムアクセス応答を受信することによって取得されてもよい。別の実施形態では、携帯機器３０は基準信号を第２のサブバンドで送信し、第２のサブバンドに対するタイミングアドバンス値を含む、基準信号に応答する応答メッセージを受信する。
【００６９】
図８は、別の実施形態に係る、異なるサービスを支援するための混合ヌメロロジを支援する混合ヌメロロジの無線通信ネットワーク１０における無線機器３０によって実施されるランダムアクセスの例示的な方法２５０を示す。本実施形態では、無線機器３０は無線通信ネットワークの基地局２０または他のネットワークノードからＳＩを受信する（ブロック２６０）。ＳＩはランダムアクセスのための２つ以上の利用可能なヌメロロジを指示する設定情報を格納する。ＳＩで受信した設定情報に基づき、無線機器３０はランダムアクセスのために利用可能なヌメロロジのうちの１つを選択する（ブロック２７０）。方法２５０はさらに、基地局２０との接続を確立するために指示されたヌメロロジに従って設定されたＰＲＡＣＨ上でランダムアクセスを実行することを含む（ブロック２８０）。
【００７０】
方法２５０のいくつかの実施形態では、ランダムアクセスのためのヌメロロジは、無線機器のデバイスタイプ、サービスタイプ、および／または基地局またはネットワークノードからの距離のうちの１つ以上に基づいて選択される。
【００７１】
方法２５０のいくつかの実施形態はさらに、ランダムアクセスを実行した後、ＵＬ共有チャネル上でのデータ伝送といった、データ伝送のための異なるヌメロロジに従って設定されるサブバンドへ切り替えることを含む。データ伝送のためのサブバンドは、無線機器のデバイスタイプ、サービスタイプ、および／または基地局もしくはネットワークノードからの距離のうちの１つ以上に基づいて選択されうる。
【００７２】
方法２５０のいくつかの実施形態において、無線機器３０は、ランダムアクセスの間にタイミングアドバンス値を取得し、データ伝送のために選択されたサブバンドでデータ伝送のためにタイミングアドバンス値を使用してもよい。別の実施形態では、無線機器３０は、基地局２０または他のネットワークノードとの接続を確立した後、第２のサブバンド内でデータ伝送のために選択されたサブバンドからタイミングアドバンス値を取得してもよい。タイミングアドバンス値は、例えば、第２のサブバンドでランダムアクセスプリアンブルを送信し、サブバンドのためのタイミングアドバンス内でタイミングアドバンス値を含むランダムアクセス応答を受信することによって取得されてもよい。別の実施形態では、携帯機器３０は基準信号をサブバンドで送信し、サブバンドに対するタイミングアドバンス値を含む、基準信号に応答する応答メッセージを受信する。
【００７３】
図９は、混合ヌメロロジの無線通信ネットワーク１０における使用のために設定された無線機器３００の主要な機能コンポーネントを示す。無線機器３００は図４から図８に示す方法の１つ以上を実行するよう設定されうる。無線機器３００は処理回路３１０、インタフェース回路３４０、およびメモリ３５０を備える。
【００７４】
インタフェース回路３４０は１つ以上のアンテナ（不図示）に結合され、無線通信チャネルを介した基地局２０との通信に必要な無線周波数（ＲＦ）コンポーネントを含む。典型的には、ＲＦコンポーネントはＮＲ標準または他の無線アクセス技術（ＲＡＴ）に係る通信のために適合された送信器および受信器を含む。
【００７５】
処理回路３１０は無線機器３００から送信されるまたは無線機器３００によって受信される信号を処理する。そのような処理は、送信信号の符号化および変調、ならびに受信信号の復調および復号化を含む。処理回路３１０は、基地局２０によって送信されるＳＩおよび他の設定情報を受信および処理するためのシステム情報ユニット３１５、無線機器３０のためのランダムアクセス手順を設定する設定ユニット３２０、ならびにランダムアクセス手順を実行するランダムアクセスユニット３２５を含む。いくつかの実施形態では、無線機器３００の処理回路３１０はデータを送信するための送信ユニット３３０をさらに備える。一例として、送信ユニット３３０はＵＬ共有チャネル上でデータを送信するよう設定されてもよい。処理回路３１０は、１つ以上のマイクロプロセッサ、ハードウェア、ファームウェア、またはそれらの組み合わせを備えてもよい。一実施形態では、システム情報ユニット３１５およびランダムアクセスユニット３２５は単一のマイクロプロセッサによって実施される。別の実施形態では、システム情報ユニット３１５およびランダムアクセスユニット３２５は異なるマイクロプロセッサを使用して実施される。
【００７６】
メモリ３５０は、処理回路３１０の動作のために必要なコンピュータプログラムコードおよびデータを格納するための揮発性および不揮発性メモリの両方を備える。メモリ３５０は、電気、磁気、光学、電磁気、または半導体データストレージを含む、データを格納するための任意の有形の非一時的コンピュータ可読記録媒体を含んでもよい。メモリ３５０は、本明細書で説明した図４から図８に係る方法を実施するための処理回路３１０を設定する実行可能な命令を含むコンピュータプログラム３６０を格納する。一般的に、コンピュータプログラム命令および設定情報は、Ｒｅａｄ  Ｏｎｌｙ  Ｍｅｍｏｒｙ（ＲＯＭ）、Ｅｒａｓａｂｌｅ  Ｐｒｏｇｒａｍｍａｂｌｅ  Ｒｅａｄ  Ｏｎｌｙ  Ｍｅｍｏｒｙ（ＥＰＲＯＭ）、またはフラッシュメモリといった不揮発性メモリに格納される。動作中に生成される一時データはＲａｎｄｏｍ  Ａｃｃｅｓｓ  Ｍｅｍｏｒｙ（ＲＡＭ）といった揮発性メモリに格納されてもよい。いくつかの実施形態では、本明細書で説明されるような処理回路３１０を設定するためのコンピュータプログラム３６０は、ポータブルコンパクトディスク、ポータブルデジタルビデオディスク、または他の取り外し可能な媒体のような取り外し可能なメモリに格納されてもよい。コンピュータプログラム３６０は、電気信号、光信号、無線信号、またはコンピュータ可読記憶媒体のようなキャリアで実施されてもよい。
【００７７】
図１０は、異なるサービスタイプのために使用される複数のヌメロロジを支援する無線通信ネットワーク１０のための別のランダムアクセス方法４００を示す。基地局２０または他のネットワークノードに接続するためにランダムアクセスを実行する必要がある無線機器３０は、基地局２０または他のネットワークノードによって送信される１つ以上の同期信号を検出する（ブロック４１０）。無線機器３０は検出した同期信号から１つ以上の利用可能なヌメロロジを判定し（ブロック４２０）、基地局２０または他のネットワークノードとの接続を確立するために利用可能なヌメロロジのうちの１つに従って設定されたサブバンド上でランダムアクセスを実行する（ブロック４３０）。一実施形態では、サブバンドはランダムアクセスに使用されるキャリア周波数または周波数リソースを含む。
【００７８】
方法４００のいくつかの実施形態では、無線機器３０は検出した同期信号のヌメロロジを判定し、検出した同期信号のヌメロロジをランダムアクセスのために利用可能なヌメロロジであると考慮する。
【００７９】
方法４００の他の実施形態では、無線機器３０は検出した同期信号に対するヌメロロジを判定し、事前に判定された規則に基づいて検出した同期信号のヌメロロジからＲＡＣＨのためのヌメロロジを判定する。
【００８０】
しかしながら、利用可能なヌメロロジが判定されると、方法４００のいくつかの実施形態では、無線機器３０は所望の接続のためのサービスタイプおよび／または無線機器３０のデバイスタイプに基づいて利用可能なヌメロロジのうちの１つを選択してもよい。これらの実施形態では、無線機器３０は、基地局２０もしくは他のネットワークノードとの接続のためのサービスタイプ、または無線機器のデバイスタイプを判定する。無線機器３０は、サービスタイプ、デバイスタイプ、またはその両方に基づいて、利用可能なヌメロロジのうちの１つに従って設定されたサブバンドを選択し、選択したサブバンドでランダムアクセスを実行する。
【００８１】
図１１は別の実施形態に係る、無線機器５００を示す。無線機器５００は処理回路５１０、インタフェース回路５４０、およびメモリ５５０を備える。
【００８２】
インタフェース回路５４０は１つ以上のアンテナ（不図示）に結合され、無線通信チャネルを介した基地局２０との通信に必要なＲＦコンポーネントを含む。典型的には、ＲＦコンポーネントはＮＲ標準または他のＲＡＴに係る通信のために適合された送信器および受信器を含む。
【００８３】
処理回路５１０は無線機器５００から送信されるまたは無線機器５００によって受信される信号を処理する。そのような処理は、送信信号の符号化および変調、ならびに受信信号の復調および復号化を含む。処理回路５１０は、基地局２０によって送信される同期信号を受信および処理するための同期ユニット５１５、無線機器５００のためのランダムアクセス手順を設定する設定ユニット５２０、ならびにランダムアクセス手順を実行するランダムアクセスユニット５２５を含む。いくつかの実施形態では、無線機器５００の処理回路５１０はデータを送信するための送信ユニット５３０をさらに備える。一例として、送信（ＴＸ）ユニット５３０はＵＬ共有チャネル上でデータを送信するよう設定されてもよい。処理回路５１０は、１つ以上のマイクロプロセッサ、ハードウェア、ファームウェア、またはそれらの組み合わせを備えてもよい。一実施形態では、同期ユニット５１５およびランダムアクセスユニット５２５は単一のマイクロプロセッサによって実施される。別の実施形態では、同期ユニット５１５およびランダムアクセスユニット５２５は異なるマイクロプロセッサを使用して実施される。
【００８４】
メモリ５５０は、処理回路５１０の動作のために必要なコンピュータプログラムコードおよびデータを格納するための揮発性および不揮発性のメモリの両方を備える。メモリ５５０は、電気、磁気、光学、電磁気、または半導体データ記録装置を含む、データを格納するための任意の有形の非一時的なコンピュータ可読記録媒体を含んでもよい。メモリ５５０は、本明細書で説明した図１０に係る方法を実施するための処理回路５１０を設定する実行可能な命令を含むコンピュータプログラム５５５を格納する。一般的に、コンピュータプログラム命令および設定情報は、ＲＯＭ、ＥＰＲＯＭ、またはフラッシュメモリといった不揮発性メモリに格納される。動作中に生成される一時データはＲＡＭといった揮発性メモリに格納されてもよい。いくつかの実施形態では、本明細書で説明されるような処理回路５１０を設定するためのコンピュータプログラム５５５は、ポータブルコンパクトディスク、ポータブルデジタルビデオディスク、または他の取り外し可能な媒体のような取り外し可能なメモリに格納されてもよい。コンピュータプログラム５５５は、電気信号、光信号、無線信号、またはコンピュータ可読記憶媒体のようなキャリアで実施されてもよい。
【００８５】
図１２は、異なるサービスタイプのための混合ヌメロロジを支援する無線通信ネットワーク１０の基地局２０または他のネットワークノードによって実施される例示的なランダムアクセス方法６００を示す。基地局２０または他のネットワークノードは、当該基地局２０または他のネットワークノードによってサービスを提供されるエリア内の無線機器３０へ、ＳＩを送信する（ブロック６１０）。ＳＩは、基地局２０のサービスエリア内の無線機器３０が、ランダムアクセスのために利用可能な少なくとも１つのヌメロロジを判定することを可能にすることを可能にするランダムアクセスのための設定情報を格納する。基地局２０または他のネットワークノードは、利用可能なヌメロロジまたは複数のヌメロロジにしたがって設定された１つ以上のサブバンド内のランダムアクセスチャネルをモニタする（ブロック６２０）。一実施形態では、サブバンドはランダムアクセスに使用されるキャリアまたは周波数リソースを含む。
【００８６】
いくつかの実施形態では、設定情報はランダムアクセスのために２つ以上の利用可能なヌメロロジを指示し、基地局２０または他のネットワークノードは、２つ以上の利用可能なヌメロロジに従って設定されたサブバンド内のランダムアクセスチャネルをモニタする。一実施形態では、設定情報は、ＵＬトラフィックチャネル上でデータ伝送を受信するために基地局２０または他のネットワークノードによって使用されるヌメロロジと同一またはほぼ同じである、ランダムアクセスのために利用可能なヌメロロジを指示する。本実施形態では、方法６００はさらに、ＵＬトラフィックチャネル上で無線機器３０からのデータ伝送を受信するよう適合された処理ハードウェアを使用して、無線機器３０によって送信されたプリアンブルを受信することを含む。
【００８７】
図１３は、異なるサービスタイプのための混合ヌメロロジを支援する無線通信ネットワーク１０の基地局２０または他のネットワークノードによって実施される、別の実施形態に係る例示的なランダムアクセス方法６３０を示す。基地局２０または他のネットワークノードは、当該基地局２０または他のネットワークノードによってサービスを提供されるエリア内の無線機器３０へ、ＳＩを送信する（ブロック６４０）。ＳＩは、基地局２０のサービスエリア内の無線機器３０が、ランダムアクセスのために第１のヌメロロジを判定することを可能にすることを可能にするランダムアクセスのための設定情報を格納する。基地局２０または他のネットワークノードは、第１のヌメロロジにしたがって設定されたランダムアクセスチャネルをモニタする（ブロック６５０）。方法６３０はさらに、基地局２０または他のネットワークノードによって、第１のヌメロロジに従って設定された第１のサブバンド上で無線機器３０からのランダムアクセスプリアンブルを受信することを含む（ブロック６６０）。基地局２０または他のネットワークノードはその後、第１のヌメロロジとは異なる第２のヌメロロジにしたがって設定された第２のサブバンド内の共有ＵＬチャネル上で無線機器３０からのＵＬ伝送を受信する（ブロック６７０）。一実施形態では、第１および第２のサブバンドは、それぞれランダムアクセスおよびＵＬ共有チャネルのために使用されるキャリアまたは周波数リソースを含んでもよい。
【００８８】
図１４は、異なるサービスタイプのための混合ヌメロロジを支援する無線通信ネットワーク１０の基地局２０または他のネットワークノードによって実施される、別の実施形態に係る例示的なランダムアクセス方法７００を示す。基地局２０または他のネットワークノードは、当該基地局２０または他のネットワークノードによってサービスを提供されるエリア内の無線機器３０へ、ＳＩを送信する（ブロック７１０）。ＳＩはランダムアクセスのための２つ以上の利用可能なヌメロロジを含む設定情報を格納する。基地局２０または他のネットワークノードは、利用可能なヌメロロジにしたがって設定されたサブバンド内のランダムアクセスチャネルをモニタする（ブロック７２０）。方法はさらに、基地局２０または他のネットワークノードによって、利用可能なヌメロロジのうちの１つに従って設定されたサブバンド上で無線機器からのランダムアクセスプリアンブルを受信することを含む（ブロック７３０）。
【００８９】
図１５は、異なるサービスタイプのための混合ヌメロロジを支援する無線通信ネットワーク１０の基地局２０または他のネットワークノードによって実施される、別の実施形態に係る例示的なランダムアクセス方法７５０を示す。基地局２０または他のネットワークノードは、当該基地局２０または他のネットワークノードによってサービスを提供されるエリア内の無線機器３０へ、ＳＩを送信する（ブロック７６０）。ＳＩはランダムアクセスのためのヌメロロジを指示する設定情報を格納する。基地局２０または他のネットワークノードは、指示されたヌメロロジにしたがって設定されたランダムアクセスチャネルをモニタする（ブロック７７０）。いくつかの実施形態では、基地局２０はその後共有ＵＬチャネル上で無線機器からのデータ伝送を受信するよう適合された処理ハードウェアを使用して、ランダムアクセスチャネル上で送信されるプリアンブルを受信する（ブロック７８０）。
【００９０】
図１６は、混合ヌメロロジの無線通信ネットワーク１０における使用のために設定された、基地局などの、ネットワークノード８００の主要な機能コンポーネントを示す。ネットワークノード８００は処理回路８１０、インタフェース回路８３０、およびメモリ８４０を備える。
【００９１】
インタフェース回路８３０は１つ以上のアンテナ（不図示）に結合され、無線通信チャネルを介した無線機器３０との通信に必要なＲＦコンポーネントを含む。典型的には、ＲＦコンポーネントはＮＲ標準または他のＲＡＴに係る通信のために適合された送信器および受信器を含む。
【００９２】
処理回路８１０はネットワークノード８００から送信されるまたはネットワークノード８００によって受信される信号を処理する。そのような処理は、送信信号の符号化および変調、ならびに受信信号の復調および復号化を含む。処理回路８１０は、ＳＩおよび他の設定情報を生成し、基地局８００によってサービスを提供されるエリア内の無線機器３０へ送信するためのＳＩユニット８１５と、ランダムアクセスチャネルをモニタしてランダムアクセス手順を実行するためのランダムアクセスユニット８２０とを含む。いくつかの実施形態では、処理回路８１０はさらに、ＰＲＡＣＨおよび／またはＵＳＣＨにおいて無線機器からの送信を受信するための受信（ＲＸ）ユニット８２５を備える。処理回路８１０は、１つ以上のマイクロプロセッサ、ハードウェア、ファームウェア、またはそれらの組み合わせを備えてもよい。一実施形態では、ＳＩユニット８１５、ランダムアクセスユニット８２０、およびＲＸユニット８２５は単一のマイクロプロセッサによって実施される。別の実施形態では、ＳＩユニット８１５およびランダムアクセスユニット８２０は異なるマイクロプロセッサを使用して実施される。
【００９３】
メモリ８４０は、処理回路８１０の動作のために必要なコンピュータプログラムコードおよびデータを格納するための揮発性および不揮発性のメモリの両方を備える。メモリ８４０は、電気、磁気、光学、電磁気、または半導体データ記録装置を含む、データを格納するための任意の有形の非一時的コンピュータ可読記録媒体を含んでもよい。メモリ８４０は、図１２から図１５に係る方法を実施するための処理回路８１０を設定する実行可能な命令を含むコンピュータプログラム８５０を格納する。一般的に、コンピュータプログラム命令および設定情報は、ＲＯＭ、ＥＰＲＯＭ、またはフラッシュメモリといった不揮発性メモリに格納される。動作中に生成される一時データはＲＡＭといった揮発性メモリに格納されてもよい。いくつかの実施形態では、本明細書で説明されるような処理回路８１０を設定するためのコンピュータプログラム８５０は、ポータブルコンパクトディスク、ポータブルデジタルビデオディスク、または他の取り外し可能な媒体のような取り外し可能なメモリに格納されてもよい。コンピュータプログラム（８５０）は、電気信号、光信号、無線信号、またはコンピュータ可読記憶媒体のようなキャリアで実施されてもよい。
【００９４】
図１７は、異なるサービスタイプのための混合ヌメロロジを支援する無線通信ネットワーク１０の基地局２０または他のネットワークノードによって実施される例示的なランダムアクセス方法９００を示す。基地局２０または他のネットワークノードは、当該基地局２０または他のネットワークノードによってサービスを提供されるエリア内の無線機器３０へ、１つ以上の同期信号を送信する（ブロック９１０）。同期信号は、基地局２０のサービスエリア内の無線機器３０へ、ランダムアクセスに使用される１つ以上の利用可能なヌメロロジを暗示的に指示する。基地局２０または他のネットワークノードは、利用可能なヌメロロジにしたがって設定された１つ以上のサブバンド内のランダムアクセスチャネルをモニタする（ブロック９２０）。いくつかの実施形態では、設定情報はランダムアクセスのために２つ以上の利用可能なヌメロロジを指示し、基地局２０または他のネットワークノードは、２つ以上の利用可能なヌメロロジに従って設定されたサブバンド内のランダムアクセスチャネルをモニタする。
【００９５】
一実施形態では、設定情報は、ＵＬトラフィックチャネル上でデータ伝送を受信するために基地局２０または他のネットワークノードによって使用されるヌメロロジと同一またはほぼ同じである、ランダムアクセスのために利用可能なヌメロロジを指示する。本実施形態では、方法９００はさらに、ＵＬトラフィックチャネル上で無線機器３０からのデータ伝送を受信するよう適合された処理ハードウェアを使用して、無線機器３０によって送信されたプリアンブルを受信することを含む。
【００９６】
図１８は、混合ヌメロロジの無線通信ネットワーク１０における使用のために設定される、基地局２０などの、ネットワークノード１０００の主要な機能コンポーネントを示す。ネットワークノード１０００は処理回路１０１０、インタフェース回路１０３０、およびメモリ１０４０を備える。
【００９７】
インタフェース回路１０３０は１つ以上のアンテナ（不図示）に結合され、無線通信チャネルを介した無線機器３０との通信に必要なＲＦコンポーネントを含む。典型的には、ＲＦコンポーネントはＮＲ標準または他のＲＡＴに係る通信のために適合された送信器および受信器を含む。
【００９８】
処理回路１０１０はネットワークノード１０００から送信されるまたはネットワークノード１０００によって受信される信号を処理する。そのような処理は、送信信号の符号化および変調、ならびに受信信号の復調および復号化を含む。処理回路１０１０は、同期信号を生成し、基地局１０００によってサービスを提供されるエリア内の無線機器３０へ送信するための同期ユニット１０１５と、ランダムアクセスチャネルをモニタしてランダムアクセス手順を実行するためのランダムアクセスユニット１０２０とを含む。いくつかの実施形態では、処理回路１０１０はさらに、ＰＲＡＣＨおよび／またはＵＳＣＨにおいて無線機器からの送信を受信するための受信（ＲＸ）ユニット１０２５を備える。処理回路１０１０は、１つ以上のマイクロプロセッサ、ハードウェア、ファームウェア、またはそれらの組み合わせを備えてもよい。一実施形態では、同期ユニット１０１５、ランダムアクセスユニット１０２０、およびＲＸユニット１０２５は単一のマイクロプロセッサによって実施される。別の実施形態では、同期ユニット１０１５およびランダムアクセスユニット１０２０は異なるマイクロプロセッサを使用して実施される。
【００９９】
メモリ１０４０は、処理回路１０１０の動作のために必要なコンピュータプログラムコードおよびデータを格納するための揮発性および不揮発性メモリの両方を備える。メモリ１０４０は、電気、磁気、光学、電磁気、または半導体データ記録装置を含む、データを格納するための任意の有形の非一時的コンピュータ可読記録媒体を含んでもよい。メモリ１０４０は、図１７に係る方法９００を実施するための処理回路１０１０を設定する実行可能な命令を含むコンピュータプログラム１０５０を格納する。一般的に、コンピュータプログラム命令および設定情報は、ＲＯＭ、ＥＰＲＯＭ、またはフラッシュメモリといった不揮発性メモリに格納される。動作中に生成される一時データはＲＡＭといった揮発性メモリに格納されてもよい。いくつかの実施形態では、本明細書で説明されるような処理回路１０１０を設定するためのコンピュータプログラム１０５０は、ポータブルコンパクトディスク、ポータブルデジタルビデオディスク、または他の取り外し可能な媒体のような取り外し可能なメモリに格納されてもよい。コンピュータプログラム（１０５０）は、電気信号、光信号、無線信号、またはコンピュータ可読記憶媒体のようなキャリアで実施されてもよい。
【０１００】
図１９は、本明細書で説明されるように、図４から図８の方法を実行するよう設定される、別の実施形態に係る無線機器１１００を示す。無線機器１１００はシステム情報モジュール１１１０、設定モジュール１１２０、およびランダムアクセスモジュール１１３０を含む。システム情報モジュール１１１０は、基地局または他のネットワークノードによって送信されたＳＩおよび他の設定情報を受信して処理するよう設定される。ＳＩは、ランダムアクセスのための設定を指示する設定情報、および／または１つ以上の利用可能なヌメロロジを指示する設定情報を含んでもよい。設定モジュール１１２０は本明細書で説明するように、設定情報に基づいて無線機器１１００のためのサブバンドを判定し、ランダムアクセス手順を設定するよう適合される。ランダムアクセスモジュール１１２０は本明細書で説明するように、ランダムアクセスのためのサブバンド／ヌメロロジを判定し、ランダムアクセス手順を実行するよう設定される。いくつかの実施形態はデータを送信するための送信（ＴＸ）モジュール１１３０をさらに含んでもよい。一例として、ＴＸモジュール１１３０はＰＲＡＣＨおよび／またはＵＬ共有チャネル上でデータを送信するよう設定されてもよい。様々なモジュール１１１０、１１２０、および１１３０はハードウェアおよび／またはプロセッサもしくは処理回路によって実行されるソフトウェアコードによって実施されうる。
【０１０１】
図２０は、本明細書で説明されるように、図１０の方法を実行するよう設定される、別の実施形態に係る無線機器１１５０を示す。無線機器１１５０は、同期モジュール１１６０およびランダムアクセスモジュール１１７０を含む。同期モジュール１１６０は、基地局またはネットワークノードによって送信された同期信号を受信して処理するよう設定される。ランダムアクセスモジュール１１７０は本明細書で説明するように、ランダムアクセスのためのサブバンド／ヌメロロジを判定し、ランダムアクセス手順を実行するよう設定される。いくつかの実施形態はデータを送信するための送信（ＴＸ）モジュール１１８０をさらに含んでもよい。一例として、ＴＸモジュール１１８０はＰＲＡＣＨおよび／またはＵＬ共有チャネル上でデータを送信するよう設定されてもよい。様々なモジュール１１６０、１１７０、および１１８０はハードウェアおよび／またはプロセッサもしくは処理回路によって実行されるソフトウェアコードによって実施されうる。
【０１０２】
図２１は、本明細書で説明される、図１２から図１５の方法を実行するよう設定される、別の実施形態に係るネットワークノード（例えば基地局）１２００を示す。ネットワークノード１２００はシステム情報（ＳＩ）モジュール１２１０、およびランダムアクセスモジュール１２２０を含む。システム情報（ＳＩ）モジュール１２１０は、ＳＩおよび他の設定情報を生成し、ネットワークノード１２００によってサービスを提供されるエリア内の無線機器へ送信するよう設定される。ランダムアクセスモジュール１２２０はランダムアクセスチャネルをモニタしてランダムアクセス手順を実行するよう設定される。いくつかの実施形態では、ネットワークノード１２００はさらに、ＰＲＡＣＨおよび／またはＵＳＣＨにおいて無線機器からの送信を受信するための受信（ＲＸ）モジュール１２３０を備える。様々なモジュール１２１０、１２２０、および１２３０はハードウェアおよび／またはプロセッサもしくは処理回路によって実行されるソフトウェアコードによって実施されうる。
【０１０３】
図２２は、本明細書で説明される、図１７の方法を実行する、別の実施形態に係るネットワークノード（例えば基地局）１２５０を示す。ネットワークノード１２５０は、同期モジュール１２６０およびランダムアクセスモジュール１２７０を含む。同期モジュール１２６０は、同期信号を生成し、ネットワークノード１２５０によってサービスを提供されるエリア内の無線機器へ当該同期信号を送信するよう設定される。ランダムアクセスモジュール１２７０はランダムアクセスチャネルをモニタしてランダムアクセス手順を実行するよう設定される。いくつかの実施形態では、ネットワークノード１２５０はさらに、ＰＲＡＣＨおよび／またはＵＳＣＨにおいて無線機器からの送信を受信するための受信（ＲＸ）モジュール１２８０を備える。様々なモジュール１２６０、１２７０、および１２８０はハードウェアおよび／またはプロセッサもしくは処理回路によって実行されるソフトウェアコードによって実施されうる。
【図１】
2019535185.tif 000003
【図２】
2019535185.tif 000004
【図３ａ】
2019535185.tif 000005
【図３ｂ】
2019535185.tif 000006
【図３ｃ】
2019535185.tif 000007
【図４】
2019535185.tif 000008
【図５】
2019535185.tif 000009
【図６】
2019535185.tif 000010
【図７】
2019535185.tif 000011
【図８】
2019535185.tif 000012
【図９】
2019535185.tif 000013
【図１０】
2019535185.tif 000014
【図１１】
2019535185.tif 000015
【図１２】
2019535185.tif 000016
【図１３】
2019535185.tif 000017
【図１４】
2019535185.tif 000018
【図１５】
2019535185.tif 000019
【図１６】
2019535185.tif 000020
【図１７】
2019535185.tif 000021
【図１８】
2019535185.tif 000022
【図１９】
2019535185.tif 000023
【図２０】
2019535185.tif 000024
【図２１】
2019535185.tif 000025
【図２２】
2019535185.tif 000026
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
混合ヌメロロジの無線通信ネットワーク（１０）における無線機器（３０，３００，１１００）によって実施されるランダムアクセス方法（１２０）であって、
ネットワークノード（２０，８００，１２００）からシステム情報であって、ランダムアクセスのための設定を指示する設定情報を格納する前記システム情報を受信すること（１２５）と、
前記設定情報に基づいてランダムアクセスのための第１のヌメロロジを判定すること（１３０）と、
前記ネットワークノード（２０，８００，１２００）との接続を確立するために、前記第１のヌメロロジに従って設定された第１のサブバンド上でランダムアクセスを実行すること（１３５）と、
共有アップリンクチャネル上でのデータ伝送のための第２のヌメロロジに従って設定された第２のサブバンドへと切り替えること（１４０）と、
を含むことを特徴とする方法。
【請求項２】
請求項１に記載の方法（１２０）であって、前記設定情報はランダムアクセスのためのデフォルト設定を含むことを特徴とする方法。
【請求項３】
請求項１または２に記載の方法（１２０）であって、前記無線機器（３０，３００，１１００）のデバイスタイプ、トラフィックタイプ、および前記無線通信ネットワークから受信した設定のうちの少なくとも１つに基づいて前記第２のサブバンドを選択することをさらに含むことを特徴とする方法。
【請求項４】
請求項１または２に記載の方法（１２０）であって、事前に定義されたスライス選択規則に基づいて前記第２のサブバンドを選択することをさらに含むことを特徴とする方法。
【請求項５】
請求項１から４のいずれか１項に記載の方法（１２０）であって、第２のヌメロロジに従って設定された第２のサブバンドへと切り替えることは、
前記第１のサブバンドのためのタイミングアドバンス値を取得することと、
前記第１のサブバンドのための前記タイミングアドバンス値を、前記第２のサブバンド内の前記データ伝送のために使用することと、
を含むことを特徴とする方法。
【請求項６】
請求項５に記載の方法（１２０）であって、前記第１のサブバンド上の累積された電力調整値に基づいて、前記第２のサブバンド上のデータ伝送のための電力調整値を導出することをさらに含むことを特徴とする方法。
【請求項７】
請求項１から４のいずれか１項に記載の方法（１２０）であって、第２のヌメロロジに従って設定された第２のサブバンドへと切り替えることは、
前記第２のサブバンドのためのタイミングアドバンス値を取得することと、
前記第２のサブバンドのための前記タイミングアドバンス値を、前記第２のサブバンド内のデータ伝送のために使用することと、
を含むことを特徴とする方法。
【請求項８】
請求項７に記載の方法（１２０）であって、前記第２のサブバンドのためのタイミングアドバンス値を取得することは、
前記第２のサブバンド内でランダムアクセスプリアンブルを送信することと、
前記第２のサブバンドのための前記タイミングアドバンス値を含むランダムアクセス応答を受信することと、
を含むことを特徴とする方法。
【請求項９】
請求項７に記載の方法（１２０）であって、前記第２のサブバンドのためのタイミングアドバンス値を取得することは、
前記第２のサブバンド内で基準信号を送信することと、
前記第２のサブバンドのための前記タイミングアドバンス値を含む、応答メッセージを、前記基準信号の前記送信に応じて受信することと、
を含むことを特徴とする方法。
【請求項１０】
請求項１に記載の方法（１２０）であって、前記設定情報に基づいてランダムアクセスのための第１のヌメロロジを判定することは、
前記設定情報に基づいて、サービスタイプを対応するヌメロロジに関連付けるマッピングを生成することと、
前記ネットワークノード（２０，８００，１２００）との前記接続のためのサービスタイプを判定することと、
前記サービスタイプに基づいて前記第１のヌメロロジを判定することと、
を含むことを特徴とする方法。
【請求項１１】
請求項１０に記載の方法（１２０）であって、前記無線機器（３０，３００，１１００）のメモリに前記マッピングを格納することをさらに含むことを特徴とする方法。
【請求項１２】
請求項１に記載の方法（１２０）であって、前記設定情報に基づいてランダムアクセスのための第１のヌメロロジを判定することは、前記無線機器（３０，３００，１１００）によって、前記設定情報によって指示されるようにランダムアクセスのために利用可能な２つ以上のヌメロロジから前記第１のヌメロロジを選択することを含むことを特徴とする方法。
【請求項１３】
請求項１２に記載の方法（１２０）であって、前記設定情報によって指示されるようにランダムアクセスのために利用可能な前記２つ以上のヌメロロジから前記第１のヌメロロジを選択することは、
前記ネットワークノード（２０，８００，１２００）への距離を判定することと、
前記距離に基づいて利用可能な前記ヌメロロジから前記第１のヌメロロジを選択することと、
を含むことを特徴とする方法。
【請求項１４】
請求項１２に記載の方法（１２０）であって、前記設定情報によって指示されるようにランダムアクセスのために利用可能な前記２つ以上のヌメロロジから前記第１のヌメロロジを選択することは、
前記ネットワークノード（２０，８００，１２００）との前記接続のためのサービスタイプを判定することと、
前記サービスタイプに基づいて前記利用可能なヌメロロジから前記第１のヌメロロジを選択することと、
を含むことを特徴とする方法。
【請求項１５】
請求項１２に記載の方法（１２０）であって、前記設定情報によって指示されるようにランダムアクセスのために利用可能な前記２つ以上のヌメロロジから前記第１のヌメロロジを選択することは、
前記無線機器（３０，３００，１１００）のデバイスタイプを判定することと、
前記デバイスタイプに基づいて前記利用可能なヌメロロジから前記第１のヌメロロジを選択することと、
を含むことを特徴とする方法。
【請求項１６】
混合ヌメロロジの無線通信ネットワーク（１０）における無線機器（３０，３００，１１００）によって実施されるランダムアクセスの方法（１５０）であって、
ネットワークノード（２０，８００，１２００）からシステム情報であって、ランダムアクセスのためのヌメロロジを指示する設定情報を格納する前記システム情報を受信すること（１５５）と、
前記ネットワークノード（２０，８００，１２００）との接続を確立するために、前記指示されたヌメロロジに従って設定されたサブバンド上でランダムアクセスを実行すること（１６０）と、
を含み、
前記指示されたヌメロロジは、前記ネットワークノード（２０，８００，１２００）が、共通の処理ハードウェアを使用してランダムアクセスプリアンブルおよび共有アップリンクチャネル上での後続のデータ伝送を処理することを可能にすることを特徴とする方法。
【請求項１７】
混合ヌメロロジの無線通信ネットワーク（１０）におけるネットワークノード（２０，８００，１２００）によって実施される方法（６３０）であって、
前記ネットワークノード（２０，８００，１２００）によってサービスを提供されるエリア内の無線機器（３０，３００，１１００）へ、システム情報であって、前記無線機器（３０，３００，１１００）がランダムアクセスのための第１のヌメロロジを判定することを可能にするランダムアクセスのための設定情報を格納する前記システム情報を送信すること（６４０）と、
前記第１のヌメロロジに従って設定された１つ以上のサブバンドでランダムアクセスチャネルをモニタすること（６５０）と、
前記第１のヌメロロジに従って設定された第１のサブバンド上で前記無線機器からランダムアクセスプリアンブルを受信すること（６６０）と、
前記第１のヌメロロジとは異なる第２のヌメロロジに従って設定された第２のサブバンド内の共有アップリンクチャネル上で前記無線機器（３０，３００，１１００）からアップリンク伝送を受信すること（６７０）と、
を含むことを特徴とする方法。
【請求項１８】
請求項１７に記載の方法であって、前記設定情報はランダムアクセスのために２つ以上の利用可能なヌメロロジを指示し、前記モニタすることは、前記２つ以上の利用可能なヌメロロジに従って設定されたサブバンド内のランダムアクセスチャネルをモニタすることを含むことを特徴とする方法。
【請求項１９】
混合ヌメロロジの無線通信ネットワーク（１０）におけるネットワークノード（２０，８００，１２００）によって実施される方法（７５０）であって、
前記ネットワークノード（２０，８００，１２００）によってサービスを提供されるエリア内の無線機器（３０，３００，１１００）へ、システム情報であって、ランダムアクセスのためのヌメロロジを指示する設定情報を格納する前記システム情報を送信すること（７６０）と、
指示された前記ヌメロロジに従って設定されたサブバンドでランダムアクセスチャネルをモニタすること（７７０）と、
共有アップリンクチャネル上で前記無線機器（３０，３００，１１００）からのデータ伝送を受信するよう適合された処理ハードウェアを使用して、指示された前記ヌメロロジ上で送信されたプリアンブルを受信すること（７８０）と、
を含むことを特徴とする方法。
【請求項２０】
混合ヌメロロジの無線通信ネットワーク（１０）での使用のために設定された無線機器（３０，３００，１１００）であって、
前記無線通信ネットワーク（１０）のネットワークノード（２０，８００，１２００）からシステム情報であって、ランダムアクセスのための設定を指示する設定情報を格納する前記システム情報を受信し、
前記設定情報に基づいてランダムアクセスのための第１のヌメロロジを判定し、
前記ネットワークノード（２０，８００，１２００）との接続を確立するために、前記第１のヌメロロジに従って設定された第１のサブバンド内でランダムアクセスを実行し、
共有アップリンクチャネル上でのデータ伝送のための第２のヌメロロジに従って設定された第２のサブバンドへと切り替える、
ように設定されることを特徴とする無線機器。
【請求項２１】
請求項２０に記載の無線機器（３０，３００，１１００）であって、請求項２から１５のいずれか１項に記載の方法を実行するよう設定されることを特徴とする無線機器。
【請求項２２】
混合ヌメロロジの無線通信ネットワーク（１０）での使用のために設定された無線機器（３０，３００）であって、
ネットワークノード（２０，８００）との通信のためのインタフェース回路（３４０）と、
処理回路（３１０）であって、
前記無線通信ネットワーク（１０）のネットワークノード（２０，８００，１２００）からシステム情報であって、ランダムアクセスのための設定を指示する設定情報を格納する前記システム情報を受信し、
前記設定情報に基づいてランダムアクセスのための第１のヌメロロジを判定し、
前記ネットワークノード（２０，８００，１２００）との接続を確立するために、前記第１のヌメロロジに従って設定された第１のサブバンド内でランダムアクセスを実行し、
共有アップリンクチャネル上でのデータ伝送のための第２のヌメロロジに従って設定された第２のサブバンドへと切り替える、
ように設定される前記処理回路と、
を備えることを特徴とする無線機器。
【請求項２３】
請求項２２に記載の無線機器（３０，３００）であって、前記設定情報はランダムアクセスのためのデフォルト設定を含むことを特徴とする無線機器。
【請求項２４】
請求項２２または２３に記載の無線機器（３０，３００）であって、前記処理回路は、前記無線機器（３０，３００，１１００）のデバイスタイプ、トラフィックタイプ、および前記無線通信ネットワークから受信した設定のうちの少なくとも１つに基づいて前記第２のサブバンドを選択するようにされに設定されることを特徴とする無線機器。
【請求項２５】
請求項２２または２３に記載の無線機器（３０，３００）であって、前記処理回路は、事前に定義されたスライス選択規則に基づいて前記第２のサブバンドを選択するようさらに設定されることを特徴とする無線機器。
【請求項２６】
請求項２２から２５のいずれか１項に記載の無線機器（３０，３００）であって、前記処理回路はさらに、
前記第１のサブバンドのためのタイミングアドバンス値を取得し、
前記第１のサブバンドのための前記タイミングアドバンス値を、前記第２のサブバンド内の前記データ伝送のために使用する、
よう設定されることを特徴とする無線機器。
【請求項２７】
請求項２６に記載の無線機器（３０，３００）であって、前記処理回路はさらに、前記第１のサブバンド上の累積された電力調整値に基づいて、前記第２のサブバンド上のデータ伝送のための電力調整値を導出するよう設定されることを特徴とする無線機器。
【請求項２８】
請求項２２から２５のいずれか１項に記載の無線機器（３０，３００）であって、前記処理回路はさらに、
前記第２のサブバンドのためのタイミングアドバンス値を取得し、
前記第２のサブバンドのための前記タイミングアドバンス値を、前記第２のサブバンド内のデータ伝送のために使用する、
よう設定されることを特徴とする無線機器。
【請求項２９】
請求項２８に記載の無線機器（３０，３００）であって、前記処理回路はさらに、
前記第２のサブバンド内でランダムアクセスプリアンブルを送信し、
前記第２のサブバンドのための前記タイミングアドバンス値を含むランダムアクセス応答を受信する、
よう設定されることを特徴とする無線機器。
【請求項３０】
請求項２８に記載の無線機器（３０，３００）であって、前記処理回路はさらに、
前記第２のサブバンド内で基準信号を送信し、
前記第２のサブバンドのための前記タイミングアドバンス値を含む応答メッセージを、前記基準信号の前記送信に応じて受信する、
ように設定されることを特徴とする無線機器。
【請求項３１】
請求項２２に記載の無線機器（３０，３００）であって、前記処理回路はさらに、
前記設定情報に基づいて、サービスタイプを対応するヌメロロジに関連付けるマッピングを生成し、
前記ネットワークノード（２０，８００，１２００）との前記接続のためのサービスタイプを判定し、
前記サービスタイプに基づいて前記第１のヌメロロジを判定する、
よう設定されることを特徴とする無線機器。
【請求項３２】
請求項３１に記載の無線機器（３０，３００）であって、前記処理回路はさらに、前記無線機器（３０，３００，１１００）のメモリに前記マッピングを格納するよう設定されることを特徴とする無線機器。
【請求項３３】
請求項２２に記載の無線機器（３０，３００）であって、前記処理回路はさらに、前記設定情報によって指示されるようにランダムアクセスのために利用可能な２つ以上のヌメロロジから前記第１のヌメロロジを選択するよう設定されることを特徴とする無線機器。
【請求項３４】
請求項３３に記載の無線機器（３０，３００）であって、前記処理回路はさらに、
前記ネットワークノード（２０，８００，１２００）への距離を判定し、
前記距離に基づいて利用可能な前記ヌメロロジから前記第１のヌメロロジを選択する、
ように設定されることを特徴とする無線機器。
【請求項３５】
請求項３３に記載の無線機器（３０，３００）であって、前記処理回路はさらに、
前記ネットワークノード（２０，８００，１２００）との前記接続のためのサービスタイプを判定し、
前記サービスタイプに基づいて前記利用可能なヌメロロジから前記第１のヌメロロジを選択する、
よう設定されることを特徴とする無線機器。
【請求項３６】
請求項３３に記載の無線機器（３０，３００）であって、前記処理回路はさらに、
前記無線機器（３０，３００）のデバイスタイプを判定し、
前記デバイスタイプに基づいて前記利用可能なヌメロロジから前記第１のヌメロロジを選択する、
よう設定されることを特徴とする無線機器。
【請求項３７】
混合ヌメロロジの無線通信ネットワーク（１０）での使用のために設定された無線機器（３０，３００）であって、
ネットワークノード（２０，８００，１２００）との通信のためのインタフェース回路（３４０）と、
処理回路（３１０）であって、
前記無線通信ネットワーク（１０）内のネットワークノード（２０，８００，１２００）から、システム情報であって、ランダムアクセスのためのヌメロロジを指示する前記システム情報を受信し、
前記ネットワークノード（２０，８００，１２００）との接続を確立するために、指示された前記ヌメロロジに従って設定された第１のサブバンド内でランダムアクセスを実行する、
処理回路を有し、
指示された前記ヌメロロジは、前記ネットワークノード（２０，８００，１２００）が共通処理ハードウェアを使用して、ランダムアクセスプリアンブルおよび共有アップリンクチャネル上での後続のデータ伝送を処理することを可能にすることを特徴とする無線機器。
【請求項３８】
混合ヌメロロジの無線通信ネットワーク（１０）内のネットワークノード（２０，８００，１２００）であって、
前記ネットワークノード（２０，８００，１２００）によってサービスを提供されるエリア内の無線機器（３０）へ、システム情報であって、前記無線機器（３０）がランダムアクセスのための第１のヌメロロジと共有アップリンクチャネル上のアップリンク伝送のための第２のヌメロロジとを判定することを可能にするランダムアクセスのための設定情報を格納する前記システム情報を送信し、
前記第１のヌメロロジに従って設定された１つ以上のサブバンドでランダムアクセスチャネルをモニタし、
前記第２のヌメロロジに従って設定された前記共有アップリンクチャネル上で前記無線機器（３０）からのアップリンク伝送を受信する、
よう設定されることを特徴とするネットワークノード。
【請求項３９】
請求項３８に記載のネットワークノード（２０，８００，１２００）であって、請求項１７または１８に記載の方法を実行するよう設定されることを特徴とするネットワークノード。
【請求項４０】
混合ヌメロロジの無線通信ネットワーク（１０）内のネットワークノード（２０，８００）であって、
前記ネットワークノード（２０，８００）によってサービスを提供されるエリア内の無線機器（３０）との通信のためのインタフェース回路（８３０）と、
処理回路（８１０）であって、
前記ネットワークノード（２０，８００）によってサービスを提供されるエリア内の無線機器（３０）へ、システム情報であって、前記無線機器（３０，３００，１１００）がランダムアクセスのための第１のヌメロロジを判定することを可能にするランダムアクセスのための設定情報を格納する前記システム情報を送信し、
前記第１のヌメロロジに従って設定された第１のサブバンドでランダムアクセスチャネルをモニタし、
前記第１のヌメロロジとは異なる第２のヌメロロジに従って設定された第２のサブバンド内の共有アップリンクチャネル上で前記無線機器（３０，３００，１１００）からアップリンク伝送を受信する、
よう設定される前記処理回路と、
を備えることを特徴とするネットワークノード。
【請求項４１】
請求項４０に記載のネットワークノード（２０，８００）であって、前記設定情報はランダムアクセスのために利用可能な２つ以上のヌメロロジを指示し、前記処理回路はさらに、前記利用可能なヌメロロジのうちの２つ以上に従って設定されたサブバンド内のランダムアクセスチャネルをモニタするよう設定されることを特徴とするネットワークノード。
【請求項４２】
混合ヌメロロジの無線通信ネットワーク（１０）内のネットワークノード（２０，８００）であって、
前記ネットワークノード（２０，８００）によってサービスを提供されるエリア内の無線機器（３０，３００，１１００）との通信のためのインタフェース回路（８３０）と、
処理回路（８１０）であって、
前記ネットワークノード（２０，８００）によってサービスを提供されるエリア内の無線機器（３０，３００，１１００）へ、システム情報であって、ランダムアクセスのためのヌメロロジを指示する設定情報を格納する前記システム情報を送信し、
前記指示されたヌメロロジに従って設定されたサブバンドでランダムアクセスチャネルをモニタし、
共有アップリンクチャネル上で無線機器（３０，３００，１１００）からのデータ伝送を受信するよう適合された処理ハードウェアを使用して、前記無線機器（３０，３００，１１００）によって送信されたプリアンブルを受信する、
よう設定される前記処理回路と、
を備えることを特徴とするネットワークノード。
【請求項４３】
コンピュータプログラム（３６０）であって、無線機器（３０，３００，１１００）の処理回路によって実行された場合に、前記無線機器（３０，３００，１１００）に請求項１から１６のいずれか１項に記載の方法を実行させる実行可能な命令を含むコンピュータプログラム。
【請求項４４】
請求項４３に係るコンピュータプログラム（３６０）を格納することを特徴とするコンピュータ可読記憶媒体。
【請求項４５】
非一時的なコンピュータ読取可能な記憶媒体であって、アンテナシステムの受信電力を測定するための測定装置の制御システムによって実行された場合に、前記測定装置に請求項１から１６のいずれか１項に記載の方法を実行させる実行可能な命令を含むコンピュータプログラム（３６０）を格納することを特徴とする非一時的なコンピュータ読取可能な記憶媒体。
【請求項４６】
コンピュータプログラム（８５０）であって、ネットワークノード（２０，８００，１２００）の処理回路によって実行された場合に、前記ネットワークノード（２０，８００，１２００）に請求項１７から１９のいずれか１項に記載の方法を実行させる実行可能な命令を含むコンピュータプログラム。
【請求項４７】
請求項４６に係るコンピュータプログラム（８５０）を格納することを特徴とするコンピュータ可読記憶媒体。
【請求項４８】
非一時的なコンピュータ読取可能な記憶媒体であって、アンテナシステムの受信電力を測定するための測定装置の制御システムによって実行された場合に、前記測定装置に請求項１７から１９のいずれか１項に記載の方法を実行させる実行可能な命令を含むコンピュータプログラム（８５０）を格納することを特徴とする非一時的なコンピュータ読取可能な記憶媒体。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
混合ヌメロロジの無線通信ネットワーク（１０）における無線機器（３０，３００，１１００）によって実施されるランダムアクセス方法（１２０）であって、
ネットワークノード（２０，８００，１２００）からシステム情報であって、ランダムアクセスのための設定を指示する設定情報を格納する前記システム情報を受信すること（１２５）と、
前記設定情報によって指示されるように、ランダムアクセスのために利用可能な２つ以上のヌメロロジから第１のヌメロロジを選択することで、前記設定情報に基づいてランダムアクセスのための前記第１のヌメロロジを判定すること（１３０）と、
前記ネットワークノード（２０，８００，１２００）との接続を確立するために、前記第１のヌメロロジに従って設定された第１のサブバンド上でランダムアクセスを実行すること（１３５）と、
共有アップリンクチャネル上でのデータ伝送のための第２のヌメロロジに従って設定された第２のサブバンドへと切り替えること（１４０）と、
を含むことを特徴とする方法。
【請求項２】
請求項１に記載の方法（１２０）であって、前記設定情報はランダムアクセスのためのデフォルト設定を含むことを特徴とする方法。
【請求項３】
請求項１または２に記載の方法（１２０）であって、前記無線機器（３０，３００，１１００）のデバイスタイプ、トラフィックタイプ、および前記ネットワークから受信した設定のうちの少なくとも１つに基づいて前記第２のサブバンドを選択することをさらに含むことを特徴とする方法。
【請求項４】
請求項１または２に記載の方法（１２０）であって、事前に定義されたスライス選択規則に基づいて前記第２のサブバンドを選択することをさらに含むことを特徴とする方法。
【請求項５】
請求項１から４のいずれか１項に記載の方法（１２０）であって、第２のヌメロロジに従って設定された第２のサブバンドへと切り替えることは、
前記第１のサブバンドのためのタイミングアドバンス値を取得することと、
前記第１のサブバンドのための前記タイミングアドバンス値を、前記第２のサブバンド内の前記データ伝送のために使用することと、
を含むことを特徴とする方法。
【請求項６】
請求項５に記載の方法（１２０）であって、前記第１のサブバンド上の累積された電力調整値に基づいて、前記第２のサブバンド上のデータ伝送のための電力調整値を導出することをさらに含むことを特徴とする方法。
【請求項７】
請求項１から４のいずれか１項に記載の方法（１２０）であって、第２のヌメロロジに従って設定された第２のサブバンドへと切り替えることは、
前記第２のサブバンドのためのタイミングアドバンス値を取得することと、
前記第２のサブバンドのための前記タイミングアドバンス値を、前記第２のサブバンド内のデータ伝送のために使用することと、
を含むことを特徴とする方法。
【請求項８】
請求項７に記載の方法（１２０）であって、前記第２のサブバンドのためのタイミングアドバンス値を取得することは、
前記第２のサブバンド内でランダムアクセスプリアンブルを送信することと、
前記第２のサブバンドのための前記タイミングアドバンス値を含むランダムアクセス応答を受信することと、
を含むことを特徴とする方法。
【請求項９】
請求項７に記載の方法（１２０）であって、前記第２のサブバンドのためのタイミングアドバンス値を取得することは、
前記第２のサブバンド内で基準信号を送信することと、
前記第２のサブバンドのための前記タイミングアドバンス値を含む、応答メッセージを、前記基準信号の前記送信に応じて受信することと、
を含むことを特徴とする方法。
【請求項１０】
請求項１に記載の方法（１２０）であって、前記設定情報に基づいてランダムアクセスのための第１のヌメロロジを判定することは、
前記設定情報に基づいて、サービスタイプを対応するヌメロロジに関連付けるマッピングを生成することと、
前記ネットワークノード（２０，８００，１２００）との前記接続のためのサービスタイプを判定することと、
前記サービスタイプに基づいて前記第１のヌメロロジを判定することと、
を含むことを特徴とする方法。
【請求項１１】
請求項１０に記載の方法（１２０）であって、前記無線機器（３０，３００，１１００）のメモリに前記マッピングを格納することをさらに含むことを特徴とする方法。
【請求項１２】
請求項１に記載の方法（１２０）であって、前記設定情報によって指示されるようにランダムアクセスのために利用可能な前記２つ以上のヌメロロジから前記第１のヌメロロジを選択することは、
前記ネットワークノード（２０，８００，１２００）への距離を判定することと、
前記距離に基づいて利用可能な前記ヌメロロジから前記第１のヌメロロジを選択することと、
を含むことを特徴とする方法。
【請求項１３】
請求項１に記載の方法（１２０）であって、前記設定情報によって指示されるようにランダムアクセスのために利用可能な前記２つ以上のヌメロロジから前記第１のヌメロロジを選択することは、
前記ネットワークノード（２０，８００，１２００）との前記接続のためのサービスタイプを判定することと、
前記サービスタイプに基づいて前記利用可能なヌメロロジから前記第１のヌメロロジを選択することと、
を含むことを特徴とする方法。
【請求項１４】
請求項１に記載の方法（１２０）であって、前記設定情報によって指示されるようにランダムアクセスのために利用可能な前記２つ以上のヌメロロジから前記第１のヌメロロジを選択することは、
前記無線機器（３０，３００，１１００）のデバイスタイプを判定することと、
前記デバイスタイプに基づいて前記利用可能なヌメロロジから前記第１のヌメロロジを選択することと、
を含むことを特徴とする方法。
【請求項１５】
混合ヌメロロジの無線通信ネットワーク（１０）におけるネットワークノード（２０，８００，１２００）によって実施される方法（６３０）であって、
前記ネットワークノード（２０，８００，１２００）によってサービスを提供されるエリア内の無線機器（３０，３００，１１００）へ、システム情報であって、前記無線機器（３０，３００，１１００）がランダムアクセスのための第１のヌメロロジを判定することを可能にするランダムアクセスのための設定情報を格納する前記システム情報を送信すること（６４０）であって、前記設定情報はランダムアクセスのための２つ以上の利用可能なヌメロロジを指示する、送信すること（６４０）と、
前記利用可能なヌメロロジのうちの前記２つ以上に従って設定された１つ以上のサブバンドでランダムアクセスチャネルをモニタすること（６５０）と、
前記第１のヌメロロジに従って設定された第１のサブバンド上で前記無線機器からランダムアクセスプリアンブルを受信すること（６６０）と、
前記第１のヌメロロジとは異なる第２のヌメロロジに従って設定された第２のサブバンド内の共有アップリンクチャネル上で前記無線機器（３０，３００，１１００）からアップリンク伝送を受信すること（６７０）と、
を含むことを特徴とする方法。
【請求項１６】
混合ヌメロロジの無線通信ネットワーク（１０）での使用のために設定された無線機器（３０，３００，１１００）であって、
前記無線通信ネットワーク（１０）のネットワークノード（２０，８００，１２００）からシステム情報であって、ランダムアクセスのための設定を指示する設定情報を格納する前記システム情報を受信し、
前記設定情報によって指示されるように、ランダムアクセスのために利用可能な２つ以上のヌメロロジから第１のヌメロロジを選択することで、前記設定情報に基づいてランダムアクセスのための前記第１のヌメロロジを判定し、
前記ネットワークノード（２０，８００，１２００）との接続を確立するために、前記第１のヌメロロジに従って設定された第１のサブバンド内でランダムアクセスを実行し、
共有アップリンクチャネル上でのデータ伝送のための第２のヌメロロジに従って設定された第２のサブバンドへと切り替える、
ように設定されることを特徴とする無線機器。
【請求項１７】
請求項１６に記載の無線機器（３０，３００，１１００）であって、請求項２から１４のいずれか１項に記載の方法を実行するよう設定されることを特徴とする無線機器。
【請求項１８】
混合ヌメロロジの無線通信ネットワーク（１０）内のネットワークノード（２０，８００）であって、
前記ネットワークノード（２０，８００）によってサービスを提供されるエリア内の無線機器（３０）との通信のためのインタフェース回路（８３０）と、
処理回路（８１０）であって、
前記ネットワークノード（２０，８００）によってサービスを提供されるエリア内の無線機器（３０）へ、システム情報であって、前記無線機器（３０，３００，１１００）がランダムアクセスのための第１のヌメロロジを判定することを可能にするランダムアクセスのための設定情報を格納する前記システム情報を送信することであって、前記設定情報はランダムアクセスのための２つ以上の利用可能なヌメロロジを指示する、送信し、
前記利用可能なヌメロロジのうちの２つ以上に従って設定されたサブバンドでランダムアクセスチャネルをモニタし、
前記第１のヌメロロジとは異なる第２のヌメロロジに従って設定された第２のサブバンド内の共有アップリンクチャネル上で前記無線機器（３０，３００，１１００）からアップリンク伝送を受信する、
よう設定される前記処理回路と、
を備えることを特徴とするネットワークノード。
【請求項１９】
コンピュータプログラム（３６０）であって、無線機器（３０，３００，１１００）の処理回路によって実行された場合に、前記無線機器（３０，３００，１１００）に請求項１から１４のいずれか１項に記載の方法を実行させる実行可能な命令を含むコンピュータプログラム。
【請求項２０】
コンピュータプログラム（８５０）であって、ネットワークノード（２０，８００，１２００）の処理回路によって実行された場合に、前記ネットワークノード（２０，８００，１２００）に請求項１５に記載の方法を実行させる実行可能な命令を含むコンピュータプログラム。
【国際調査報告】
2019535185.tif 000027
2019535185.tif 000028
2019535185.tif 000029